(57)【特許請求の範囲】
【請求項１】
複数のパチンコ機が設置されると共に、該パチンコ機の上方に設けられ且つ前記パチンコ機へ補給樋を介してパチンコ玉を補給する上部タンクと、前記パチンコ機から排出されたパチンコ玉を回収する回収経路と、該回収経路で回収されたパチンコ玉を前記上部タンクへ揚送する玉揚送装置と、隣接するすべてのパチンコ島台にパチンコ玉を供給する供給経路と、をそれぞれ備えた複数のパチンコ島台により構成される島台ブロック内でのパチンコ玉の移動を制御するパチンコ玉移動制御システムにおいて、
前記島台ブロックを構成する複数のパチンコ島台のうち、１つを親島とし、その親島には、前記島台ブロック内で使用される多量のパチンコ玉を貯留するベースタンクが備えられ、
前記親島を除く残りのパチンコ島台を子島とし、その子島には、
自島で使用される少量のパチンコ玉を貯留する貯留タンクと、
前記供給経路のうち前記親島側から子島側に向かってパチンコ玉を供給する往路供給経路を常時パチンコ玉の流れを作る第１状態とするために当該往路供給経路に設けられないと共に前記供給経路のうち自島から見て前記親島側に向かってパチンコ玉を供給する復路供給経路のみに設けられ、且つ当該復路供給経路のパチンコ玉の流れを作る前記第１状態とパチンコ玉の流れを止める第２状態とに変化可能なパチンコ玉流動変更手段と、
自島内の貯留玉量が自島内で所定の貯留空間を確保した状態での所定玉量であることを検知して所定玉量検知信号を出力する所定玉量検知出力手段と、
自島内の貯留玉量が前記所定玉量より少ない下限所定玉量に満たないことを検知して下限所定玉量検知信号を出力する下限所定玉量検知出力手段と、
が備えられ、
前記所定玉量検知信号に基づいて、前記パチンコ玉流動変更手段を前記第１状態に変化させる一方、前記下限所定玉量検知信号に基づいて、前記パチンコ玉流動変更手段を前記第２状態に変化させるパチンコ玉流動指示手段を備えたことを特徴とするパチンコ玉移動制御システム。
【請求項２】
前記子島のうち少なくとも１台に遊技客が返却するパチンコ玉を計数して前記回収経路へ排出する玉計数装置と、該玉計数装置に流入したパチンコ玉を検知して返却玉検知信号を出力する返却玉検知出力手段と、が備えられ、
前記返却玉検知信号に基づいて、前記パチンコ玉流動変更手段を前記第１状態に変化させる返却玉流動指示手段を備えたことを特徴とする請求項１記載のパチンコ玉移動制御システム。
【請求項３】
前記返却玉検知信号に基づいて、前記玉計数装置が備えられたパチンコ島台から見て前記親島側の反対側に隣接するパチンコ島台の前記パチンコ玉流動変更手段を前記第２状態に変化させる隣島パチンコ玉流動変更指示手段を備えたことを特徴とする請求項２に記載のパチンコ玉移動制御システム。
【発明の詳細な説明】
【０００１】
【発明の属する技術分野】
複数のパチンコ機が設置されると共に、該パチンコ機の上方に設けられ且つ前記パチンコ機へ補給樋を介してパチンコ玉を補給する上部タンクと、前記パチンコ機から排出されたパチンコ玉を回収する回収経路と、該回収経路で回収されたパチンコ玉を前記上部タンクへ揚送する玉揚送装置と、隣接するパチンコ島台にパチンコ玉を供給する供給経路と、をそれぞれ備えた複数のパチンコ島台により構成される島台ブロック内でのパチンコ玉の移動を制御するパチンコ玉移動制御システムに関するものである。
【０００２】
【従来の技術】
パチンコ島台には、様々な形態のものがあるが、現在、パチンコ島台間に樋を掛け渡してパチンコ島台間でパチンコ玉をやり取りする島交流方式が主流となっている。この島交流方式は、大別して２つのタイプがあり、一方の島交流方式は、特開平９−３１３７１４号に示されるような、それぞれのパチンコ島台内に中型貯留タンクが設置されると共に、隣接するパチンコ島台との間に供給樋と受給樋が掛け渡される構造のものである。この島交流方式は、遊技場で使用されるすべてのパチンコ玉をそれぞれのパチンコ島台の中型貯留タンクに分けて貯留させるものであり、それぞれの中型貯留タンクの貯留玉量を比較して貯留玉量に差がある場合に、供給樋及び受給樋を介してパチンコ島台間でパチンコ玉のやり取りを行ない、それぞれの中型貯留タンクでの貯留玉量を一致させることにより、パチンコ島台間での貯留玉量のバランスを図るものである。
【０００３】
他方の島交流方式は、特開２０００−２４２８７号に示されるような、大型貯留タンクを有する１つの親島と、小型貯留タンクを有する複数の子島とにより１つの島台ブロックを形成する構造のものである。この島交流方式は、子島の貯留玉量が減少した場合に、親島から子島に補給ラインを介してパチンコ玉の供給が行なわれ、また、子島の貯留玉量が増加して小型貯留タンクが飽和した場合に、パチンコ玉が自作用的に子島の上部タンクから回収ラインに溢れて親島へ回収される。このように、親島と子島との間でパチンコ玉のやり取りを行なうことにより、子島の貯留玉量が所定量に維持されているものである。
【０００４】
【発明が解決しようとする課題】
ところが、前者の島交流方式では、中型貯留タンク及びこれに付随する種々の装置等をそれぞれのパチンコ島台に設けなければならないため、製造コストが上昇してしまい、また、パチンコ島台の内部空間が、内部に設けられる種々の装置で圧迫されてしまうため、メンテナンスが困難になる等の問題点があった。
【０００５】
一方、後者の島交流方式では、前述したように、１つの親島に大型貯留タンクが設置されるものの、その他の複数の子島に設置されるのは、小型貯留タンクであるため、全体として前者の島交流方式よりも低コストであり、また、親島の大型貯留タンクは、遊技場の建築柱等で発生してしまうデッドスペースを利用して設置することができ、子島も小型貯留タンクしか設置されないため、前者の島交流方式のようにパチンコ島台内部空間が圧迫されてしまうということがない。このように、後者の島交流方式では、前者の島交流方式の問題点を克服しているが、上記した後者の島交流方式の構成だけでは、玉計数装置の設置等で突発的に多量のパチンコ玉が流入する状況には対応できないという新たな問題点がある。このため、後者の島交流方式では、突発的な多量のパチンコ玉の流入に備えて、玉計数装置が設置された子島には、新たに中型貯留タンクを設置することでこの問題点を解決している。
【０００６】
しかしながら、後者の島交流方式においても突発的に多量のパチンコ玉が流入する状況に備えて、新たに中型貯留タンクを設けて対応しているため、結局、製造コストが上昇してしまい、また、パチンコ島台の内部も圧迫されたものとなっていた。
【０００７】
本発明は、上記した事情に鑑みなされたもので、その目的とするところは、親島と子島で１つの島台ブロックを形成するパチンコ島台において、子島に新たな貯留タンクを設けることなく、突発的な玉量のパチンコ玉の流入に対応することで、パチンコ島台の製造コストが低減されたパチンコ島台を提供することにある。
【０００８】
【課題を解決するための手段】
上記した目的を達成するために、請求項１に記載の発明においては、複数のパチンコ機が設置されると共に、該パチンコ機の上方に設けられ且つ前記パチンコ機へ補給樋を介してパチンコ玉を補給する上部タンクと、前記パチンコ機から排出されたパチンコ玉を回収する回収経路と、該回収経路で回収されたパチンコ玉を前記上部タンクへ揚送する玉揚送装置と、隣接するすべてのパチンコ島台にパチンコ玉を供給する供給経路と、をそれぞれ備えた複数のパチンコ島台により構成される島台ブロック内でのパチンコ玉の移動を制御するパチンコ玉移動制御システムにおいて、前記島台ブロックを構成する複数のパチンコ島台のうち、１つを親島とし、その親島には、前記島台ブロック内で使用される多量のパチンコ玉を貯留するベースタンクが備えられ、前記親島を除く残りのパチンコ島台を子島とし、その子島には、自島で使用される少量のパチンコ玉を貯留する貯留タンクと、前記供給経路のうち前記親島側から子島側に向かってに向かってパチンコ玉を供給する往路供給経路を常時パチンコ玉の流れを作る第１状態とするために当該往路供給経路に設けられないと共に前記供給経路のうち自島から見て前記親島側に向かってパチンコ玉を供給する復路供給経路のみに設けられ、且つ当該復路供給経路のパチンコ玉の流れを作る前記第１状態とパチンコ玉の流れを止める第２状態とに変化可能なパチンコ玉流動変更手段と、自島内の貯留玉量が自島内で所定の貯留空間を確保した状態での所定玉量であることを検知して所定玉量検知信号を出力する所定玉量検知出力手段と、自島内の貯留玉量が前記所定玉量より少ない下限所定玉量に満たないことを検知して下限所定玉量検知信号を出力する下限所定玉量検知出力手段と、が備えられ、前記所定玉量検知信号に基づいて、前記パチンコ玉流動変更手段を前記第１状態に変化させる一方、前記下限所定玉量検知信号に基づいて、前記パチンコ玉流動変更手段を前記第２状態に変化させるパチンコ玉流動指示手段を備えたことを特徴とする。このように構成することにより、子島では、自島内の貯留玉量が所定玉量を超えた場合には、所定玉量検知信号に基づいてパチンコ玉流動変更手段がパチンコ玉の流れをつくるように変化し、自島内のパチンコ玉が復路供給経路を介して親島側に隣接するパチンコ島台に供給されるため、子島の貯留玉量を所定玉量未満にすることができる。
【０００９】
例えば、上記した親島側に隣接するパチンコ島台が子島の場合、この子島が親島側でない子島から供給されたパチンコ玉により、自島内の貯留玉量が所定玉量を超えると、上記した子島と同様に親島側に隣接するパチンコ島台にパチンコ玉が供給されてこの子島の貯留玉量も所定玉量未満となる。
【００１０】
このように、全ての子島では、自島内の貯留玉量を所定玉量未満にすることができ、子島内に貯留していた過剰のパチンコ玉は、親島側に隣接するパチンコ島台に供給されることにより、最終的に多量のパチンコ玉を貯留可能な親島のベースタンクに回収することができる。
【００１１】
また、さらに、子島は、所定玉量検知信号が出力される所定玉量が所定の貯留空間を確保した状態で設定されているため、子島に玉計数装置が設置される等で自島内に流入する玉量が親島側に隣接するパチンコ島台に供給する玉量よりも一時的に多くなる場合であっても、確保しておいた所定の貯留空間に一時的に貯留することができ、新たに貯留タンクを設置しなくてもこのような状況に対応することができる。
【００１２】
よって、子島の貯留玉量を所定玉量未満になるように制御することと、所定の貯留空間を確保しておくことにより、玉計数装置の設置等で自島内に突発的に多量のパチンコ玉が流入したとしても、新たに貯留タンクを設けることなくこのような状況に対応することができ、パチンコ島台の製造コストが低減され、内部空間が確保されたパチンコ島台を提供することができる。
【００１３】
また、前記子島には、自島内の貯留玉量が所定玉量より少ない下限所定玉量に満たないことを検知して下限所定玉量検知信号を出力する下限所定玉量検知出力手段が備えられ、前記パチンコ玉流動変更指示手段は、前記下限所定玉量検知信号に基づいて、前記パチンコ玉流動変更手段を前記第２状態に変化させるので、子島では、自島内の貯留玉量が下限所定玉量に満たなくなった場合、下限所定玉量検知信号に基づいてパチンコ玉流動変更手段がパチンコ玉の流れを止めるように変化し、親島側に隣接するパチンコ島台へのパチンコ玉の供給が停止されるようになっている。
【００１４】
このように、自島内の貯留玉量が所定玉量になると、所定玉量より少ない下限所定玉量に満たなくなるまで連続して減少させるようにしたため、パチンコ玉流動変更手段の作動回数を少なくすることができる。よって、パチンコ玉流動変更手段の故障が少なくなり、また、延命を図ることができる。
【００１５】
また、請求項２に記載の発明においては、前記子島のうち少なくとも１台に遊技客が返却するパチンコ玉を計数して前記回収経路へ排出する玉計数装置と、該玉計数装置に流入したパチンコ玉を検知して返却玉検知信号を出力する返却玉検知出力手段と、が備えられ、前記返却玉検知信号に基づいて、前記パチンコ玉流動変更手段を前記第１状態に変化させる返却玉流動指示手段を備えたことを特徴とする。このように構成することにより、玉計数装置が備えられた子島では、玉計数装置に玉が返却された場合、返却玉検知信号に基づいてパチンコ玉流動変更手段がパチンコ玉の流れを作る第１状態に変化し、自島内のパチンコ玉が供給経路を介して親島側に隣接するパチンコ島台に供給されるようになっている。
【００１６】
このため、子島で増加する単位時間あたりの玉量は、玉計数装置に返却された玉量から隣接するパチンコ島台に供給した玉量を差し引いた玉量しか増加しない。つまり、返却された玉量がそのまま自島の貯留玉量として増加しないようになっている。よって、玉計数装置が備えられた子島の貯留玉量が急激に増加することを防止して子島の貯留玉量が飽和するような事態を発生しにくくすることができる。
【００１７】
更に、請求項３に記載の発明においては、前記返却玉検知信号に基づいて、前記玉計数装置が備えられたパチンコ島台から見て前記親島側の反対側に隣接するパチンコ島台の前記パチンコ玉流動変更手段を前記第２状態に変化させる隣島パチンコ玉流動変更指示手段を備えたことを特徴とする。このように構成することにより、玉計数装置が備えられた子島では、玉計数装置に多量の返却玉が返却されたような状況に予め備えるため、玉計数装置に玉が返却された場合、返却玉検知信号に基づいて親島側の反対側に隣接するパチンコ島台のパチンコ玉流動変更手段をパチンコ玉の流れを止める第２状態に変化させ、自島へパチンコ玉が供給されないようになっている。
【００１８】
このため、自島へ供給されなくなった玉量の分だけ、玉計数装置が備えられた子島で増加する玉量をさらに抑えることができる。よって、玉計数装置が備えられた子島の貯留玉量が急激に増加することをさらに確実に防止して、子島の貯留玉量が飽和するような事態をより一層発生しにくくすることができる。
【００１９】
【発明の実施の形態】
以下、図面を参照して本発明の実施形態について説明する。まず、図１乃至図７を参照してパチンコ島台Ａ１〜Ａ４によって構成される島台ブロックＡ及びパチンコ島台Ｂ１〜Ｂ３によって構成される島台ブロックＢについて説明する。図１は、パチンコ島台Ａ１〜Ａ４，Ｂ１〜Ｂ３とそれに関連して設けられる供給樋２２及び回収樋２３との関係を示す全体概略図であり、図２は、パチンコ島台Ａ１〜Ａ４，Ｂ１〜Ｂ３における供給樋２２及び回収樋２３でのパチンコ玉の流れ及び制御信号の流れを示す全体概略図であり、図３は、パチンコ島台Ａ１，Ｂ１の内部構造を示す正面図であり、図４は、親島上部タンク１０の内部構造とパチンコ玉の流れを示す正面図であり、図５は、パチンコ島台Ａ２〜Ａ４，Ｂ２，Ｂ３の内部構造を示す正面図であり、図６は、子島上部タンク５０の内部構造とパチンコ玉の流れを示す正面図であり、図７は、子島貯留タンク５１の内部構造とパチンコ玉の流れを示す正面図である。なお、パチンコ島台Ａ１，Ｂ１を以下、親島Ａ１等といい、また、それぞれの親島を親島Ａ１，親島Ｂ１という場合がある。また、パチンコ島台Ａ２〜Ａ４，Ｂ２，Ｂ３を以下、子島Ａ２等といい、また、それぞれの子島を子島Ａ２，子島Ａ３，子島Ａ４，子島Ｂ２，子島Ｂ３という場合がある。
【００２０】
また、島台ブロックＡに関しては、親島Ａ１側のパチンコ島台を下手島として、子島Ａ４側のパチンコ島台を上手島としている。また、島台ブロックＢに関しては、親島Ｂ１側のパチンコ島台を下手島として、子島Ｂ３側のパチンコ島台を上手島としている。
【００２１】
図１及び図２において、実施形態に係る島台ブロックＡは、１台の親島Ａ１と３台の子島Ａ２〜Ａ４によって構成され、島台ブロックＢは、１台の親島Ｂ１と２台の子島Ｂ２，Ｂ３によって構成されている。なお、遊技場によっては、親島１台に対して上記した以上又は以下の台数の子島が設置される場合がある。また、パチンコ島台Ａ１〜Ａ４，Ｂ１〜Ｂ３の詳細な構造については、後に詳述する。
【００２２】
図１及び図２において、島台ブロックＡの親島Ａ１及び、島台ブロックＢの親島Ｂ１には、大型のベースタンク２４がそれぞれ設置されている。このベースタンク２４には、島台ブロックＡ，Ｂで必要とされるパチンコ玉量を貯留し得るようになっており、例えば、１つのパチンコ島台に必要な玉量が５０万個であるとすれば、島台ブロックＡを構成する４つのパチンコ島台Ａ１〜Ａ４に必要な２００万個のパチンコ玉量を貯留し得る容量を有するように構成されている。
【００２３】
また、ベースタンク２４には、図１に示すように、ベースタンク２４内のパチンコ玉の貯留量を検知するためのレベルセンサ２５〜２９が、下方から１レベルセンサ２５，２レベルセンサ２６，３レベルセンサ２７，４レベルセンサ２８及び５レベルセンサ２９の順に備えられている。このレベルセンサ２５〜２９は、パチンコ玉の有無を検知し、玉有りと検知されている場合には玉量有信号を、玉無しと検知されている場合には玉量無信号をそれぞれ親島制御基板２５に出力するものであるが、この制御については後述する。なお、ベースタンク２４が設けられるパチンコ島台Ａ１，Ｂ１は、所謂壁島と言われるもので、片面側にしかパチンコ機３（詳細には図示せず、設置位置のみ図３に図示）が設置されていない構造のものである。なお、親島Ａ１等は、親島Ａ１等の片面側にしかパチンコ機が設置されていないものを示しているが、これに限らず、両面側にパチンコ機が設けられるようなパチンコ島台でも良い。
【００２４】
上記した各パチンコ島台Ａ１〜Ａ４，Ｂ１〜Ｂ３には、玉量が少なくなったとき又は玉量が充満したときに、隣接するパチンコ島台に玉を供給したり、隣接するパチンコ島台から過剰の玉を回収したりするための供給経路が親島上部タンク１０あるいは子島上部タンク５０間に掛け渡されている。なお、以下、便宜上、供給経路のうち隣接する上手島へパチンコ玉を供給するものを供給樋２２（往路供給経路）とし、隣接する下手島へパチンコ玉を供給するものを回収樋２３（復路供給経路）としている。図１，２に示すように、回収樋２３は、下手島に対してパチンコ玉が流下するように下り傾斜に掛け渡され、供給樋２２は、上手島に対してパチンコ玉が流下するように下り傾斜に掛け渡されている。また、パチンコ島台Ａ４とパチンコ島台Ｂ３との間には、島台ブロックＡと島台ブロックＢとの間でパチンコ玉のやり取りを行なうためのブロック間供給樋７７，７８が子島上部タンク５０間に掛け渡されている。
【００２５】
回収樋２３の上流端及びブロック間供給樋７７，７８の上流端には、電気的駆動源によって開閉駆動されるパチンコ玉流動変更手段としての回収シャッター６０及びブロック間シャッター７６がそれぞれ設けられている。この回収シャッター６０及びブロック間シャッター７６は、後述する子島制御基板７４によって電気的に開閉制御されるものである。パチンコ玉流動変更手段が、第１状態であるパチンコ玉の流れをつくるように作動した状態、即ち、回収シャッター６０が開放された状態では、回収樋２３内をパチンコ玉が下手島に向けて流下し、パチンコ玉流動変更手段が、第２状態であるパチンコ玉の流れを止めるように作動した状態、即ち、回収シャッター６０が閉塞された状態では、回収樋２３内をパチンコ玉が流下しない。同様に、ブロック間シャッター７６が開放された状態では、ブロック間供給樋７７，７８内をパチンコ玉がそれぞれ子島Ａ４，Ｂ３に向けて流下し、閉塞された状態では、ブロック間供給樋７７，７８内をパチンコ玉が流下しない。なお、回収シャッター６０が回収樋２３の上流端に設けられたもの及びブロック間シャッター７６がブロック間供給樋７７，７８の上流端に設けられたものを示したが、前記第１状態及び第２状態にすることができれば、回収樋２３及びブロック間供給樋７７，７８の下流端、上部タンク１０，５０、上部タンク１０，５０内の適宜位置、パチンコ島台Ａ１〜Ａ４，Ｂ１〜Ｂ３内部の適宜位置に設けてもよい。
【００２６】
パチンコ島台Ａ１〜Ａ４，Ｂ１〜Ｂ３（以下、全パチンコ島台Ａ１等という場合がある）のうち所定のパチンコ島台Ａ１，Ａ３，Ｂ１，Ｂ３には、遊技客が獲得したパチンコ玉を返却して計数するための玉計数装置２（以下、ＪＣ２という場合もある）がその島端に設けられている。
【００２７】
親島Ａ１等には、レベルセンサ２５〜２９からの信号を受け取り、ベースタンク２４のパチンコ玉貯留量の情報を出力する親島制御基板３５（図８参照）が、子島Ａ２等には、後述する各種センサの検知信号や他島からの信号等を受け取り、回収シャッター６０やブロック間シャッター７６等に信号を出力する子島制御基板７４（図９参照）が備えられている。また、子島Ａ４には、親島制御基板３５からの信号を受け取り、子島制御基板７４へ信号を出力するブロック間玉量制御基板７５（図１０参照）が備えられている。なお、図２においては、制御信号の流れをわかりやすくするため、ブロック間制御基板７５が子島Ａ４の外側に位置させたものとしている。尚、ブロック間制御基板７５は、他のパチンコ島台Ａ１〜Ａ３，Ｂ１〜Ｂ３のうちいずれか又は遊技場の内の適宜位置に備えられれば良い。
【００２８】
以上、全パチンコ島台Ａ１等についての概略を説明したが、次に各パチンコ島台の構造について図３乃至図７を参照して説明する。まず、図３及び図４を参照して親島Ａ１，Ｂ１について説明する。なお、親島Ｂ１は、図２に示すように、親島Ａ１と対称形状である以外は全く同様であるため、図３を参照して親島Ａ１についてのみ説明する。
【００２９】
図３において、ベースタンク２４を有する親島Ａ１には、前述したように、内部に少量のパチンコ玉を貯留する親島貯留タンク１１が設けられ、その親島貯留タンク１１に貯留されたパチンコ玉を親島Ａ１のほぼ中央に立設される玉揚送装置１で親島上部タンク１０に揚送し、親島Ａ１に設置されたパチンコ機３に補給樋１２を介して玉を補給するようになっている。パチンコ機３で使用されたパチンコ玉は、回収経路としてのアウト玉回収樋１３に放出されてこのアウト玉回収樋１３に回収された後、前記親島貯留タンク１１内に形成されたアウト玉回収通路３３を介して玉揚送装置１に導かれ、再度玉揚送装置１によって揚送される。このように、パチンコ玉が親島Ａ１内を循環するようになっている。
【００３０】
親島貯留タンク１１は、直方体状に形成され、その底面に玉揚送装置１の導入樋３４に向かって下り傾斜する底板３２を有し、この底板３２の上方には、底板３２とほぼ平行に上記したアウト玉回収通路３３が備えられている。また、親島貯留タンク１１の上流側上部に流入口３０が設けられており、この流入口３０は、ベースタンク２４から流入するパチンコ玉を受け入れるための開口であり、ベースタンク２４と親島貯留タンク１１との間には、流入口３０に接続される流入樋３１（図１参照）が差し渡されている。このため、親島貯留タンク１１は、流入口３０からベースタンク２４のパチンコ玉が絶えず流入されて流入口３０付近までパチンコ玉が絶えず貯留された状態になっている。
【００３１】
また、親島貯留タンク１１は、親島Ａ１のほぼ中央に立設される玉揚送装置１の一側部位（図３において左側）に設置されており、玉揚送装置１を挟んで反対側に設置されたパチンコ機３から排出されるアウト玉を回収するためのアウト玉回収樋１３が親島貯留タンク１１の玉揚送装置１側の側面に差し渡されている。このアウト玉回収樋１３の下流端は、前記導入樋３４の接続位置のやや上部である。
【００３２】
また、親島Ａ１の左側端部には、前述したように、遊技客が獲得したパチンコ玉を返却して計数するための玉計数装置２が設置されており、この玉計数装置２に返却されたパチンコ玉は、親島貯留タンク１１側のアウト玉回収樋１３によって回収されて親島貯留タンク１１内に導かれる。また、アウト玉回収通路３３の下流端及び図３の右側に示すアウト玉回収樋１３の下流端は、底板３２の下流端の上方に位置しており、底板３２を流下するパチンコ玉よりもアウト玉回収樋３３及びアウト玉回収樋１３を流下するパチンコ玉が割り込んで優先されるようになっている。
【００３３】
このように、親島貯留タンク１１には、ベースタンク２４のパチンコ玉がなくならない限り、絶えずほぼ一定量のパチンコ玉が貯留され、使用されたアウト玉や返却玉が流入した場合には、これらのパチンコ玉が親島貯留タンク１１に貯留されたパチンコ玉よりも優先的に導入樋３４に送られるようになっている。
【００３４】
上記した親島貯留タンク１１に貯留されていたパチンコ玉は、導入樋３４により複数列に整列されて玉揚送装置１に送り込まれる。玉揚送装置１は、モータ内蔵プーリによって旋回駆動される揚送ベルトと該揚送ベルトに対面して設けられ且つ揚送ベルトとの間にパチンコ玉を挟持しながら研摩する研摩部材とを有し、前記導入樋３４から導かれたパチンコ玉を揚送ベルトの摩擦力によって上部に研摩しながら揚送するものである。なお、玉揚送装置は、パチンコ玉が揚送できれば、他の形態のものであってもよい。
【００３５】
玉揚送装置１によって揚送されたパチンコ玉は、親島上部タンク１０に排出されるが、親島上部タンク１０は、受け入れたパチンコ玉を補給樋１２、供給樋２２等に振り分ける機能を有している。親島上部タンク１０は、直方体状に形成されるものであり、図４に示すように、その内部上方に玉揚送装置１の排出樋４が臨んでいる。この排出樋４の左斜め下方は、パチンコ玉を貯留するための供給玉貯留部８３が形成されており、この供給玉貯留部８３には、子島Ａ２へパチンコ玉を供給するための供給樋２２が接続される供給玉排出口１６が形成されている。また、供給玉貯留部８３の左側方には、壁面にそって補給通路８２が形成され、供給玉貯留部８３の右側方には、パチンコ玉を後述するオーバーフロー貯留部８４にパチンコ玉を導くためのオーバーフロー通路３６が形成されている。
【００３６】
また、親島上部タンク１０の下部両側方には、補給樋１２が接続される補給樋連通口１５が形成されており、左側方の補給樋連通口１５には、前記補給通路８２の下流端が臨んでいる。この補給通路８２の下流端のやや上方から右側方の補給樋連通口１５に向けて、親島上部タンク１０の底面を構成する転動面３７が下り傾斜して形成されている。また、右側方の補給樋連通口１５の斜め上方には、子島Ａ２から供給されるパチンコ玉を回収するための回収樋２３が接続される回収玉受入口２１が形成されている。また、親島上部タンク１０の下部であって左右方向ほぼ中央の位置には、オーバーフロー通路３６から送られるパチンコ玉と回収玉受入口２１から送られるパチンコ玉を合流させて、後述する流出ダクト通路１７に送るためのオーバーフロー貯留部８４が形成されている。
【００３７】
親島上部タンク１０の下方であって玉揚送装置１に隣接する位置（図３において玉揚送装置１の手前側）には、オーバーフロー貯留部８４内のパチンコ玉をベースタンク２４に流出させるための流出箱１４が備えられている。流出箱１４の内部には、パチンコ玉が落下する流出ダクト通路１７が形成され、この流出ダクト通路１７の下端には、ベースタンク２４につながる流出樋２０（図２参照）が接続される流出口１８が形成されている。また、流出ダクト通路１７の上下方向ほぼ中央には、流出ダクト通路１７を落下するパチンコ玉の勢いを弱めるための段差板１９が形成されている。
【００３８】
しかして、玉揚送装置１の排出樋４から排出されたパチンコ玉は、図４に示すように、補給通路８２を落下し、そのまま左側の補給樋連通口１５から補給樋１２へ送られる。左側の補給樋１２にパチンコ玉が行き渡り、左側の補給樋連通口１５からパチンコ玉が満ちてくると、次にパチンコ玉は、転動面３７を転動して、右側の補給樋連通口１５から補給樋１２へ送られる。このように、まず、優先的に自島の補給樋１２に補給されるようにパチンコ玉が振り分けられる。両方の補給樋１２へパチンコ玉が十分に行き渡り、補給通路８２にパチンコ玉が充満してくると、次にパチンコ玉は、供給玉貯留部８３に流れて供給玉排出口１６から供給樋２２を介して子島Ａ２へ供給される。子島Ａ２でパチンコ玉が充満してパチンコ玉が受け入れられなくなり、供給樋２２及び供給玉貯留部８３がパチンコ玉で充満すると、次にパチンコ玉は、オーバーフロー通路３６，オーバーフロー貯留部８４を介して流出ダクト通路１７へ落下し、流出口１８及び流出樋２０を介してベースタンク２４へ不要のパチンコ玉が送られる。また、子島Ａ２から回収樋２３を介して回収玉受入口２１に送られてくるパチンコ玉もオーバーフロー貯留部８４を介して流出ダクト通路１７へ落下してベースタンク２４へ送られる。
【００３９】
このように、玉揚送装置１から排出されるパチンコ玉は、親島上部タンク１０内で、自島の補給樋１２，子島Ａ２，ベースタンク２４の順に送られるようになっている。なお、前述したように、親島貯留タンク１１では、絶えずほぼ一定量のパチンコ玉が貯留されている。また、補給通路８２及び供給玉貯留部８３においてもパチンコ玉が充満している状態となっている。これは、補給通路８２を流下する単位時間あたりのパチンコ玉量は、パチンコ機３の大当たりの数によって異なるが、基本的に玉揚送装置１で揚送されて排出される単位時間あたりのパチンコ玉量より少ないためである。これにより、親島Ａ１から子島Ａ２へは絶えずパチンコ玉が送られるようになっている。
【００４０】
尚、玉揚送装置１から排出されるパチンコ玉は、補給通路８４，供給玉貯留部８３の順に優先して送られる構造を示したが、優先して送られる構造は、補給通路８４が充満してから供給玉貯留部８３に送られるような完全に優先されるものでも良いし、補給通路８４と供給玉貯留部８３とに同時に送られているが、補給通路８４に送られる玉量の方が多いように優先されるものでも良い。
【００４１】
次に、子島Ａ２〜Ａ４，Ｂ２，Ｂ３を図５乃至図７を参照して説明する。なお、子島Ａ２〜Ａ４，Ｂ２，Ｂ３は、玉計数装置２及びブロック間シャッター７６があるか否か等、若干の相違があるが、基本的に同じ機能を有するものであるため、図５を参照して子島Ａ３についてのみ説明し、他の子島Ａ２，Ａ４，Ｂ２，Ｂ３については、後に相違する点のみを説明する。
【００４２】
図５において、子島Ａ３には、前述したように、内部に少量のパチンコ玉を貯留する子島貯留タンク５１が設けられている。この子島貯留タンク５１に貯留されたパチンコ玉は、玉揚送装置１で子島上部タンク５０に揚送された後、補給樋５２でパチンコ機３に補給され、パチンコ機３で使用されたパチンコ玉は、回収経路としてのアウト玉回収樋５３に放出されてアウト玉回収通路６９を介して玉揚送装置１に導かれ、玉揚送装置１によって再び揚送されることにより、パチンコ玉が子島Ａ３内を循環するのは、親島Ａ１等と全く同様である。
【００４３】
子島Ａ３に内蔵される子島貯留タンク５１は、直方体状に形成され、その底面に玉揚送装置１の導入樋７０に向かって下り傾斜する底板６８を有し、この底板６８の上方には、底板６８とほぼ平行に上記したアウト玉回収通路６９が備えられている。また、子島貯留タンク５１は、子島Ａ３のほぼ中央に立設される玉揚送装置１の一側部位（図５において左側）に設置されており、玉揚送装置１を挟んで反対側に設置されたパチンコ機３から排出されるアウト玉を回収するためのアウト玉回収樋５３が子島貯留タンク５１の玉揚送装置１側の側面に差し渡されている。このアウト玉回収樋５３の下流端は、前記導入樋７０の接続位置のやや上部である。
【００４４】
また、子島Ａ３の左側端部には、遊技客が獲得したパチンコ玉を返却して計数するための玉計数装置２が設置されており、この玉計数装置２に返却されたパチンコ玉は、子島貯留タンク５１側のアウト玉回収樋５３によって回収されて子島貯留タンク５１内に導かれる。
【００４５】
また、アウト玉回収通路６９の下流端及び図５の右側に示すアウト玉回収樋５３の下流端は、底板６８の下流端の上方に位置しており、底板６８を流下するパチンコ玉よりもアウト玉回収通路６９及びアウト玉回収樋５３を流下するパチンコ玉が割り込んで優先されるようになっている。
【００４６】
このように、子島貯留タンク５１は、使用されたアウト玉や返却玉が流入した場合には、これらのパチンコ玉が子島貯留タンク５１に貯留されたパチンコ玉よりも優先的に導入樋７０に送られるようになっている。ここまでの構造は、親島貯留タンク１１と同様である。
【００４７】
また、このアウト玉回収樋５３の上流端の上方には、玉計数装置２から流入するパチンコ玉を検知するためのＪＣ返却玉センサ７３が設置されている。このＪＣ返却玉センサ７３は、パチンコ玉の有無を検知し、玉有りと検知されている場合にはＪＣ返却玉有信号を、玉無しと検知されている場合にはＪＣ返却玉無信号をそれぞれ子島制御基板７４に出力するものであるが、この制御については、後述する。また、サクション樋６４を流下するパチンコ玉が排出される排出口８９の少し上方であって子島貯留タンク５１の壁面には、下限所定玉量検知出力手段としての下限センサ７１が設置されている。この下限センサ７１は、パチンコ玉の有無を検知し、玉有りと検知されている場合には下限玉有信号を、玉無しと検知されている場合には下限玉無信号をそれぞれ子島制御基板７４に出力するものであるが、この制御については後述する。また、下限センサ７１の設置位置は、サクション樋６４の排出口８９から排出されるパチンコ玉による貯留のみでは、設置位置までパチンコ玉が貯留することはない位置になっている。
【００４８】
また、底板６８の下流端の上方であって子島貯留タンク５１の壁面には、所定玉量検知出力手段としての上限センサ７２が設置されている。この上限センサ７２は、パチンコ玉の有無を検知し、玉有りと検知されている場合には上限玉有信号を、玉無しと検知されている場合には上限玉無信号をそれぞれ子島制御基板７４に出力するものであるが、この制御については後述する。
【００４９】
また、子島貯留タンク５１の玉揚送装置１側の壁面の上部には、後述するサクションダクト６３から送られるパチンコ玉を子島貯留タンク５１内に導くためのサクション樋６４が壁面を貫通して設けられている。このサクション樋６４の排出口８９は、下限センサ７１より少し下方の位置に臨んでいる。また、サクション樋６４の上方には、後述するオーバーフローダクト６１から送られるパチンコ玉を子島貯留タンク５１内に導くためのオーバーフロー樋６２が、子島貯留タンク５１の玉揚送装置１側の壁面に接続されている。子島貯留タンク５１の壁面のオーバーフロー樋６２が接続された部分には、図示しない排出口が形成されており、オーバーフロー樋６２で送られてきたパチンコ玉がこの排出口からサクション樋６４の上面を流下して子島貯留タンク５１内に導かれる。
【００５０】
子島貯留タンク５１内では、サクションダクト６３及びサクション樋６４を介して導かれたパチンコ玉は、図７に示すように、サクション樋６４の排出口８９から子島貯留タンク５１の上流側に向けて排出され貯留される。後述するが、サクションダクト６３及びサクション樋６４には基本的に常時パチンコ玉が送られて来るため、子島貯留タンク５１の貯留玉量は、最低でも排出口８９付近まで充満するようになっている。また、オーバーフローダクト６１及びオーバーフロー樋６２を介して子島貯留タンク５１内に導かれたパチンコ玉は、サクション樋６４の上面を転動してサクション樋６４の下流端から優先して落下し、下流端から落下できなくなるとサクション樋６４の下流端側の側方から順に落下して子島貯留タンク５１内に貯留される。
【００５１】
このように、子島貯留タンク５１内には、最低でもサクション樋６２の排出口８９まで貯留玉量が確保され、その後、遊技者の打ち込み玉や玉計数装置２の返却玉により子島貯留タンク５１内でパチンコ玉量が次第に増加してくると、まず、下限センサ７１によってパチンコ玉が検知される位置までパチンコ玉が充満する。更にパチンコ玉量が増加すると、次に上限センサ７２によってパチンコ玉が検知される位置までパチンコ玉が充満するようになっている。
【００５２】
上記した子島貯留タンク５１に貯留されていたパチンコ玉は、導入樋７０により複数列に整列されて玉揚送装置１に送り込まれ、玉揚送装置１によって揚送されて子島上部タンク５０に排出されるが、子島上部タンク５０は、図６に示すように、受け入れたパチンコ玉を補給樋５２、供給樋２２等に振り分ける機能を有している。子島上部タンク５０は、直方体状に形成されるものであり、図６に示すように、その内部上方に玉揚送装置１の排出樋４が臨んでいる。この排出樋４の左斜め下方は、パチンコ玉を貯留するための供給玉貯留部８６が形成されており、この供給玉貯留部８６には、子島Ａ４へパチンコ玉を供給するための供給樋２２が接続される供給玉排出口５６と、子島Ａ２へパチンコ玉を供給するための回収樋２３が接続される回収玉排出口５７と、が形成されている。また、供給玉貯留部８６の左側方には、壁面にそって補給通路８５が形成され、供給玉貯留部８６の右側方には、パチンコ玉を後述するオーバーフロー貯留部８７にパチンコ玉を導くためのオーバーフロー通路３６が形成されている。
【００５３】
また、子島上部タンク５０の下部両側方には、補給樋５２が接続される補給樋連通口１５が形成されており、左側方の補給樋連通口１５には、前記補給通路８５の下流端が臨んでいる。この補給通路８５の下流端のやや上方から右側方の補給樋連通口１５に向けて、子島上部タンク５０の底面を構成する転動面３７が下り傾斜して形成されている。また、右側方の補給樋連通口１５の斜め上方には、子島Ａ４から供給されるパチンコ玉を回収するための回収樋２３が接続される回収玉受入口５８と、子島Ａ２から供給されるパチンコ玉を回収するための供給樋２２が接続される供給玉受入口５９が形成されている。なお、供給玉排出口５６及び回収玉受入口５８は、子島上部タンク５０の一側面（図６の手前側）に形成され、回収玉排出口５７及び供給玉受入口５９は、子島上部タンク５０の他側面（図６の奥側）に形成されている。
【００５４】
また、子島上部タンク５０の下部であって左右方向ほぼ中央の位置には、オーバーフロー通路３６から送られるパチンコ玉と回収玉受入口５８から送られるパチンコ玉を合流させて、後述するオーバーフローダクト通路８０に送るためのオーバーフロー貯留部８７が形成されている。また、オーバーフロー貯留部８７の右側方には、供給玉受入口５９から送られるパチンコ玉を後述するサクションダクト通路８１に送るためのサクション通路８８が壁面に沿って形成されている。
【００５５】
上記のように、親島上部タンク１０に接続される供給樋２２及び回収樋２３は、それぞれ１つであるのに対し、子島上部タンク５０に接続される供給樋２２及び回収樋２３は、それぞれ２つであるが、これは、親島Ａ１等には、隣接するパチンコ島台が一側方にしか存在しないのに対して、子島Ａ２等には、隣接するパチンコ島台が下手島側と上手島側の両側方に存在するためである。
【００５６】
また、子島上部タンク５０の回収樋２３の上流端に当る部分、即ち、回収玉排出口５７には、回収樋２３によるパチンコ玉の回収を停止させるための前述した回収シャッター６０が備えられている。
【００５７】
図６に示すように、子島上部タンク５０の下方には、オーバーフロー通路３６から誘導されるパチンコ玉と回収玉受入口５８から流入するパチンコ玉をオーバーフロー貯留部８７で合流させて子島貯留タンク５１に誘導するオーバーフロー経路の一部を構成するオーバーフローダクト通路８０と供給玉受入口５９から流入するパチンコ玉を子島貯留タンク５１に誘導するサクション経路の一部を構成するサクションダクト通路８１を内部に形成する流出箱５４が備えられている。流出箱５４は、図５に示すように、玉揚送装置１に隣接する位置（図５において玉揚送装置１の手前側）に備えられるオーバーフローダクト６１及びサクションダクト６３の上部に位置し、オーバーフローダクト通路８０及びサクションダクト通路８１には、落下するパチンコ玉の勢いを弱めるための段差板６５がそれぞれ形成されている。
【００５８】
また、オーバーフローダクト通路８０の下端部付近には、玉揚送装置１を緊急停止させるための緊急停止センサ６７が設けられている。この緊急停止センサ６７は、パチンコ玉の有無を検知し、玉有りと検知されている場合には緊急停止玉有信号を、玉無しと検知されている場合には緊急停止玉無信号をそれぞれ子島制御基板７４に出力するものであるが、この制御については後述する。
【００５９】
オーバーフローダクト６１は、オーバーフロー経路の一部を構成するものであり、流出箱５４の下端から子島貯留タンク５１の上端部高さ付近の位置に亘って垂直に形成されている。オーバーフローダクト６１の内部には、オーバーフローダクト６１内を落下するパチンコ玉の勢いを弱めるための段差板６５が複数個形成され、その下端には、パチンコ玉を子島貯留タンク５１内に導くためのオーバーフロー樋６２が接続されている。また、オーバーフローダクト６１の下端部付近には、玉計数装置２へパチンコ玉が返却をできないようにするためのＪＣセンサ６６が設けられている。このＪＣセンサ６６は、パチンコ玉の有無を検知し、玉有りと検知されている場合にＪＣ玉有信号を、玉無しと検知されている場合にはＪＣ玉無信号をそれぞれ子島制御基板７４に出力するものであるが、この制御については後述する。
【００６０】
サクションダクト６３は、サクション経路の一部を構成するもので、流出箱５４の下端からオーバーフローダクト６１の下端部よりやや下方の位置に亘って垂直に形成されている。サクションダクト６３の内部には、オーバーフローダクト６１と同様に、サクションダクト６３内を落下するパチンコ玉の勢いを弱めるための段差板６５が複数個形成され、その下端には、パチンコ玉を子島貯留タンク５１内に導くためのサクション樋６４が接続されている。
【００６１】
しかして、玉揚送装置１の排出樋４から排出されたパチンコ玉は、親島上部タンク１０と同様、図６に示すように、まず、優先的に補給通路８５を介して補給樋連通口１５から自島の補給樋５２に補給されるようにパチンコ玉が振り分けられる。両方の補給樋５２へパチンコ玉が十分に行き渡り、補給通路８５にパチンコ玉が充満してくると、次にパチンコ玉は、供給玉貯留部８６に流れて供給玉排出口５６から供給樋２２を介して上手島である子島Ａ４へ供給されるようになる。なお、回収玉排出口５７から回収樋２３を介して下手島である子島Ａ２へのパチンコ玉の流出は、回収シャッター６０の状態によって異なり、回収シャッター６０が開放されていればパチンコ玉が流れ、回収シャッター６０が閉塞していればパチンコ玉は流れない。供給玉貯留部８６がパチンコ玉で充満すると、次にパチンコ玉は、オーバーフロー通路３６に流れ、オーバーフロー経路であるオーバーフロー通路３６，オーバーフロー貯留部８７，流出箱５４のオーバーフローダクト通路８０，オーバーフローダクト６１，オーバーフロー樋６２を介して子島貯留タンク５１へ導かれるようになっている。このように、玉揚送装置１から排出されるパチンコ玉は、子島上部タンク５０内で、自島の補給樋５２，隣接するパチンコ島台Ａ２，Ａ４，子島貯留タンク５１の順に送られるようになっている。
【００６２】
尚、玉揚送装置１から排出されるパチンコ玉は、補給通路８５，供給玉貯留部８６の順に優先して送られる構造を示したが、優先して送られる構造は、補給通路８５が充満してから供給玉貯留部８６に送られるような完全に優先されるものでも良いし、補給通路８５と供給玉貯留部８６とに同時に送られているが、補給通路８５に送られる玉量の方が多いように優先されるものでも良い。
【００６３】
また、下手島である子島Ａ２から供給樋２２を介して供給玉受入口５９から供給されるパチンコ玉は、サクション経路であるサクション通路８８，流出箱５４のサクションダクト通路８１，サクションダクト６３，サクション樋６４を介して子島貯留タンク５１へ導かれるようになっている。
【００６４】
このように、子島Ａ３の下手島である子島Ａ２から供給されるパチンコ玉は、サクション経路を介して子島貯留タンク５１へ送られるようになっており、このサクション経路は、常にパチンコ玉で充満するようになっている。これは、前述したように親島Ａ１から供給樋２２を介して子島Ａ２に絶えずパチンコ玉が供給されており、子島Ａ２では、前述した子島Ａ３と同様な子島上部タンク５０であるため、自島の補給通路８５が充満していれば、補給通路８５から溢れたパチンコ玉は、全て上手島である子島Ａ３へ送られるためである。尚、補給通路８５を流下する単位時間あたりのパチンコ玉量は、パチンコ機３の大当りの数によって異なるが、基本的に玉揚送装置１で揚送されて排出される単位時間あたりのパチンコ玉量よりも少ないため、子島Ａ２から子島Ａ３へは絶えずパチンコ玉が送られるようになっている。
【００６５】
また、上手島である子島Ａ４から回収樋２３を介して回収玉受入口５８から送られてきたパチンコ玉は、オーバーフロー経路を介して子島貯留タンク５１へ導かれるようになっている。
【００６６】
以上、子島Ａ３について説明してきたが、次に、子島Ａ３と子島Ａ２，Ａ４，Ｂ２，Ｂ３との相違点を、図２を参照して説明する。まず、子島Ａ２には、玉計数装置２が設置されておらず、また、子島Ａ２に設置される玉揚送装置１は、その排出樋４が子島Ａ３の玉揚送装置１の排出樋４と反対方向に向くように設置されている。また、子島Ａ２の子島貯留タンク５１，供給樋２２，回収樋２３及び回収シャッター６０は、パチンコ島台の長手方向で、玉揚送装置１を挟んで子島Ａ３の子島貯留タンク５１，供給樋２２，回収樋２３及び回収シャッター６０と対称の位置に取り付けられている。
【００６７】
次に、子島Ａ４には、玉計数装置２が設置されておらず、また、子島Ａ４に設置される玉揚送装置１は、その排出樋４が子島Ａ３の玉揚送装置１の排出樋４と反対方向に向くように設置されている。また、子島Ａ４の子島貯留タンク５１，下手島側に位置する供給樋２２，回収樋２３及び回収シャッター６０は、パチンコ島台の長手方向で、玉揚送装置１を挟んで子島Ａ３の子島貯留タンク５１，下手島側に位置する供給樋２２，回収樋２３及び回収シャッター６０と対称の位置に取り付けられている。また、子島Ａ４の上手島に相当する子島Ｂ３との間には、供給樋２２，回収樋２３ではなく、ブロック間供給樋７７，７８が取り付けられ、ブロック間供給樋７７の上流端には、ブロック間シャッター７６が設置されている。
【００６８】
次に、子島Ｂ２には、玉計数装置２が設置されておらず、また、子島Ｂ２に設置される玉揚送装置１は、その排出樋４が子島Ａ３の玉揚送装置１の排出樋４と反対方向に向くように設置されている。また、子島Ｂ２の子島貯留タンク５１は、パチンコ島台の長手方向で、玉揚送装置１を挟んで子島Ａ３の子島貯留タンク５１と対称の位置に取り付けられている。また、子島Ｂ２の供給樋２２，回収樋２３及び回収シャッター６０は、玉揚送装置１を中心に子島Ａ３の供給樋２２，回収樋２３及び回収シャッター６０を１８０°回転させた位置関係で取り付けられている。
【００６９】
次に、子島Ｂ３の下手島側に位置する供給樋２２，回収樋２３及び回収シャッター６０は、子島Ａ４を挟んで子島Ａ３の下手島側に位置する供給樋２２，回収樋２３及び回収シャッター６０と対称の位置に取り付けられている。また、子島Ａ３の上手島に相当する子島Ａ４には、供給樋２２，回収樋２３ではなく、ブロック間供給樋７７，７８が取り付けられ、ブロック間供給樋７８の上流端には、ブロック間シャッター７６が設置されている。このブロック間供給樋７７，７８は、上記した子島Ａ４に取り付けられるブロック間供給樋７７，７８のことであり、島台ブロックＡで使用する玉を貯留する親島Ａ１のベースタンク２４の貯留量と島台ブロックＢで使用する玉を貯留する親島Ｂ１のベースタンク２４の貯留量に基づいて島台ブロックＡと島台ブロックＢとの間でパチンコ玉のやり取りを行なうためのものである。
【００７０】
ここで、島台ブロックを代表して島台ブロックＡにおける全体の玉流れについて説明する。まず、玉の供給について説明すると、親島Ａ１から供給樋２２を介して子島Ａ２へ、子島Ａ２から供給樋２２を介して子島Ａ３へ、子島Ａ３から供給樋２２を介して子島Ａ４へ、常に玉が下手島から上手島へ供給されるようになっている。このため、全ての供給樋２２、全ての子島Ａ２，Ａ３，Ａ４のサクション経路、子島貯留タンク５１内のサクション樋の排出口８９付近までは基本的に常時玉が充満している状態になっており、子島Ａ２，Ａ３，Ａ４で玉が不足することはまず発生しないようになっている。次に、玉の回収について説明すると、子島Ａ４からは回収樋２３を介して子島Ａ３へ、子島Ａ３からは回収樋２３を介して子島Ａ２へ子島Ａ２からは回収樋２３を介して親島Ａ１へ、玉が上手島から下手島へ送られ、最終的には、ベースタンク２４に回収されるようになっている。このため、子島Ａ２，Ａ３，Ａ４が玉で飽和状態になることがまず発生しないようになっている。尚、回収においては、後述する制御により回収シャッター６０を開放することにより行われる。
【００７１】
次に、貯留空間について説明する。本実施例の貯留空間は、所定玉量である上限センサ７２以上のパチンコ玉が貯留される空間である。具体的には、子島貯留タンク５１の上限センサ７２以上の空間、オーバーフローダクト６１内部の空間である。尚、貯留空間の容量は、所定玉量である上限センサ７２の設置位置によって変更可能であるため、例えば、多量の貯留空間が必要であれば、上限センサ７２の設置位置を図５に示した位置よりも下限センサ７１寄りに設置すれば良い。これを簡単にするため、上限センサ７２及び下限センサ７３を移動可能に設置するような構造にしても良い。
【００７２】
以上、島交流形式の各パチンコ島台の構造について説明してきたが、次に、制御系の構成について、図８乃至図１０を参照して説明する。図８は、親島Ａ１等に設けられるベースタンク２４のパチンコ玉貯留量を出力する親島制御基板３５の制御系を示すブロック図であり、図９は、子島Ａ２等でのパチンコ玉の移動を制御する子島制御基板７４の制御系を示すブロック図であり、図１０は、島台ブロックＡ及び島台ブロックＢとの間でのパチンコ玉の移動を制御するブロック間玉量制御基板７５の制御系を示すブロック図である。
【００７３】
図８において、親島制御基板３５は、各種の制御処理を行うＣＰＵ９０，ＣＰＵ９０で実行される各種制御プログラムやデータ等を記憶するＲＯＭ９１，ＣＰＵ９０によって作動領域として利用される半導体メモリであるＲＡＭ９２及び入出力ポート９３を備えている。親島制御基板３５には、１レベルセンサ２５，２レベルセンサ２６，３レベルセンサ２７，４レベルセンサ２８及び５レベルセンサ２９が入出力ポート９３を介して接続されている。また、符号９４に示すように、入出力ポート９３を介してブロック間玉量制御基板７５に玉量信号を出力するようになっている。このように、親島制御基板３５は、ベースタンク２４に設置される上記した１レベルセンサ２５，２レベルセンサ２６，３レベルセンサ２７，４レベルセンサ２８及び５レベルセンサ２９から出力される玉量有信号又は玉量無信号を受信し、ベースタンク２４に貯留されるパチンコ玉貯留量を０〜５レベルの６段階の何れかの玉量信号をブロック間玉量制御基板７５に出力（図２において、２点鎖線で示す矢印）するものである。
【００７４】
図９において、子島制御基板７４は、子島での各種の設定を行なうための島設定ＳＷ１００，各種の制御処理を行うＣＰＵ１０１，ＣＰＵ１０１で実行される各種制御プログラムやデータ等を記憶するＲＯＭ１０２，ＣＰＵ１０１によって作動領域として利用される半導体メモリであるＲＡＭ１０３及び入出力ポート１０４を備えている。島設定ＳＷ１００は、この子島制御基板７４が備えられる子島に玉計数装置２があるか否か、及びブロック間シャッター７６があるか否かを設定するものである。
【００７５】
子島制御基板７４には、下限センサ７１，上限センサ７２，ＪＣ返却玉センサ７３，ＪＣセンサ６６，緊急停止センサ６７，回収シャッター６０，ブロック間シャッター７６及び玉揚送装置１が入出力ポート１０４を介して接続されており、下限センサ７１から出力される下限玉有信号又は下限玉無信号を、上限センサ７２から出力される上限玉有信号又は下限玉無信号を、ＪＣ返却玉センサ７３から出力されるＪＣ返却玉有信号又はＪＣ返却玉無信号を、ＪＣセンサ６６から出力されるＪＣ玉有信号又はＪＣ玉無信号を、緊急停止センサ６７から出力される緊急停止玉有信号又は緊急停止玉無信号を、それぞれ受信するようになっている。また、入出力ポート１０４を介して、符号１０５に示すように下手島から閉塞指示信号を、及び符号１０６に示すようにブロック間玉量制御基板７５から開放指示信号を受信するようになっている。また、入出力ポート１０４を介して、符号１０７で示すように、上手島へ閉塞指示信号を出力するようになっている。なお、符号１０５では、図中、「下手島からの閉塞指示信号入力」とあるが、子島Ａ４については、子島Ａ３からの閉塞指示信号だけでなく、子島Ｂ３からの閉塞指示信号も受信し、子島Ｂ３については、子島Ｂ２からの閉塞指示信号だけでなく、子島Ａ４からの閉塞指示信号も受信するようになっている。これは、子島Ａ４は、島台ブロックＢから見た場合に子島Ｂ３の上手島に相当し、逆に、子島Ｂ３は、島台ブロックＡから見た場合に子島Ａ４の上手島に相当するとして扱い、後述するブロック間制御処理Ｓ５を子島Ａ４と子島Ｂ３の状況に合わせて円滑に行わせるためである。
【００７６】
図１０において、ブロック間玉量制御基板７５は、各種の制御処理を行うＣＰＵ１１０，ＣＰＵ１１０で実行される各種制御プログラムやデータ等を記憶するＲＯＭ１１１，ＣＰＵ１１０によって作動領域として利用される半導体メモリであるＲＡＭ１１２及び入出力ポート１１３を備えている。
【００７７】
ブロック間玉量制御基板７５は、入出力ポート１１３を介して、符号１１４に示すように、親島Ａ１の親島制御基板３５からＡブロック玉量信号（図２において、親島Ａ１の親島制御基板３５からブロック間玉量制御基板７５に向かって２点鎖線で示す矢印）あるいは親島Ｂ１の親島制御基板３５からＢブロック玉量信号（図２において、親島Ｂ１の親島制御基板３５からブロック間玉量制御基板７５に向かって２点鎖線で示す矢印）を受信し、符号１１６に示すように、入出力ポート１１３を介して、全子島Ａ２〜Ａ４，Ｂ２，Ｂ３の子島制御基板７４に回収シャッター６０の開放指示信号（図２において、ブロック間玉量制御基板７５から各子島制御基板７４に向かって細い破線で示す矢印）を出力する。
【００７８】
次に、上記した、子島制御基板７４及びブロック間玉量制御基板７５において繰り返し行なわれる制御処理について図１１乃至図１８を参照して説明する。図１１は、子島制御基板７４において行なわれる制御処理のルーチンであり、図１２は、基本制御処理を示すサブルーチンであり、図１３は、ＪＣ返却制御処理を示すサブルーチンであり、図１４は、オーバーフロー制御処理を示すサブルーチンであり、図１５は、回収シャッター制御処理を示すサブルーチンであり、図１６は、ブロック間シャッター制御処理を示すサブルーチンであり、図１７は、玉揚送装置緊急停止制御処理を示すサブルーチンであり、図１８は、ブロック間玉量制御基板７５で行なわれるブロック間玉量制御のルーチンである。
【００７９】
図１１において、子島制御基板７４では、ステップ１の基本制御処理，ステップ２のＪＣ返却制御処理，ステップ３のオーバーフロー制御処理，ステップ４の回収シャッター制御処理，ステップ５のブロック間シャッター制御処理及びステップ６の玉揚送装置緊急停止制御処理の順に処理が繰り返し行なわれる。
【００８０】
まず、図１２に示す基本制御処理のサブルーチンにおいて、ステップ１０で子島貯留タンク５１の上限センサ７２がＯＮしているか否かが判別される。上限センサ７２がＯＮしていると判別された場合、即ち、子島貯留タンク５１のパチンコ玉貯留量が所定玉量である上限センサ７２に達し、上限玉有信号が出力されているときは、ステップ１１で基本フラグをＯＮにする。上限センサ７２がＯＮしていないと判別された場合、即ち、子島貯留タンク５１のパチンコ玉貯留量が所定玉量である上限センサ７２に達しておらず、上限玉無信号が出力されているときは、ステップ１２で下限センサ７１がＯＮしているか否かが判別される。下限センサ７１がＯＮしていると判別された場合、即ち、子島貯留タンク５１のパチンコ玉貯留量が下限所定玉量である下限センサ７１に達し、下限玉有信号が出力されているときは、そのまま処理を終了する。下限センサ７１がＯＮしていない場合、即ち、子島貯留タンク５１のパチンコ玉貯留量が下限所定玉量である下限センサ７１に達しておらず、下限玉無信号が出力されているときは、ステップ１３で基本フラグをＯＦＦにして処理を終了する。
【００８１】
次に、図１３に示すＪＣ返却制御処理のサブルーチンにおいて、ステップ２０でＪＣ返却玉センサ７３がＯＮしているか否かが判別される。ＪＣ返却玉センサ７３がＯＮしていると判別されている場合、即ち、玉計数装置２にパチンコ玉が返却されてＪＣ玉返却センサ７３で玉有りと検知してＪＣ返却玉有信号が出力されているときは、ステップ２８でＪＣ返却フラグをＯＮにし、ステップ２９でタイマをクリアし、ステップ３０でタイマフラグをＯＦＦにし、ステップ３１でタイムオーバーフラグをＯＦＦにした後、処理を終了する。
【００８２】
一方、ステップ２０でＪＣ返却玉センサ７３がＯＮしていないと判別された場合、即ち、玉計数装置２にパチンコ玉が返却されておらず、ＪＣ返却玉センサ７３で玉無しと検知してＪＣ返却玉無信号が出力されているときは、ステップ２１でタイムオーバーフラグがＯＮしているか否かが判別される。タイムオーバーフラグがＯＮしていると判別された場合、即ち、後述するステップ２４でセットされたタイマが設定された時間を超えているときは、そのまま処理を終了する。タイムオーバーフラグがＯＮしていないと判別されたときは、ステップ２２でタイマフラグがＯＮしているか否かが判別される。タイマフラグがＯＮしていると判別された場合、即ち、タイマが動作しているときは、ステップ２５に進む。タイマフラグがＯＮしていないと判別された場合、即ち、タイマが動作していないときは、ステップ２３でタイマフラグをＯＮにし、ステップ２４でタイマを動作させた後、ステップ２５に進む。
【００８３】
ステップ２５では、タイマがタイムオーバーしていないか否かが判別される。タイムオーバーしていないと判別された場合、即ち、タイマが動作しているときは、そのまま処理を終了する。タイムオーバーしたと判別された場合には、ステップ２６でＪＣ返却フラグをＯＦＦにし、ステップ２７でタイムオーバーフラグをＯＮにした後、処理を終了する。
【００８４】
上記した制御を、実際に玉計数装置２にパチンコ玉が返却された場合に沿って説明すると、まず、玉計数装置２にパチンコ玉が返却された場合、ＪＣ返却玉センサ７３がＯＮしてステップ２８〜ステップ３１が繰り返し実行される。玉計数装置２へのパチンコ玉の返却が終了すると、終了した時点とほぼ同時にＪＣ返却玉センサ７３がＯＮでなくなり、ステップ２０からステップ２１に進むが、この時点では、ステップ３０，３１によってタイマーフラグ及びタイムオーバーフラグがＯＦＦとなっているため、ステップ２３でタイマフラグがＯＮとなり、ステップ２４でタイマがセットされてステップ２５に進む。即ち、玉計数装置２へのパチンコ玉の返却が終了した時点とほぼ同時にタイマが動作し始めることとなる。ステップ２５までのルーチンは、ステップ２５でタイムオーバーするまで、即ち、タイマで設定された時間が経過するまで繰り返される。ただし、ステップ２２で一度タイマフラグがＯＮとなった後は、ステップ２３，２４は行なわれることなく、ステップ２５に進む。ステップ２５までのルーチンを繰り返して、タイマで設定された時間が経過すると、ＯＮとなっていたＪＣ返却玉フラグがステップ２６でＯＦＦとなり、ステップ２７でタイムオーバーフラグがＯＮとなる。このため、次の玉計数装置２へのパチンコ玉の返却があるまでは、ステップ２０，２１のルーチンが繰り返される。
【００８５】
次に、図１４に示すオーバーフロー制御処理のサブルーチンにおいて、ステップ４０でＪＣセンサ６６がＯＮしているか否かが判別される。ＪＣセンサ６６がＯＮしていると判別された場合、即ち、子島貯留タンク５１のパチンコ玉貯留量が所定玉量を超えてさらにオーバーフローダクト６１のＪＣセンサ６６に達し、ＪＣ玉有信号が出力されているときは、ステップ４１で玉計数装置（図中、ＪＣと記載）２を閉塞して玉計数装置２にパチンコ玉を返却できないようにし、ステップ４２でオーバーフローフラグをＯＮにした後、処理を終了する。ステップ４０でＪＣセンサ６６がＯＮしていないと判別された場合、即ち、子島貯留タンク５１のパチンコ玉貯留量がＪＣセンサ６６に達せず、ＪＣ玉無信号が出力されているときは、ステップ４３で玉計数装置２を開放して玉計数装置２にパチンコ玉を返却できるようにし、ステップ４４でオーバーフローフラグをＯＦＦにした後、処理を終了する。
【００８６】
次に、図１５に示す、パチンコ玉流動指示手段，パチンコ玉流動変更指示手段，返却玉流動指示手段及び隣島パチンコ玉流動変更指示手段を含む回収シャッター制御処理のサブルーチンにおいて、ステップ５０で下手島から回収シャッター６０の閉塞指示信号（図２において、各子島制御基板７４から各子島制御基板７４に向かって太い破線で示す矢印）があるか否かが判別される。閉塞指示信号があると判別された場合には、ステップ５５で回収シャッター閉塞信号（図２において、各子島制御基板７４から回収シャッター６０に向かって１点鎖線で示す矢印）が出力されて回収シャッター６０が閉塞される。閉塞指示信号がないと判別された場合には、ステップ５１でオーバーフローフラグがＯＮしているか否かが判別される。オーバーフローフラグがＯＮしていると判別された場合、即ち、オーバーフロー制御処理のステップ４２でオーバーフローフラグがＯＮしているときは、ステップ５６で回収シャッター開放信号（図２において、各子島制御基板７４から回収シャッター６０に向かって１点鎖線で示す矢印）が出力されて回収シャッター６０を開放した後、ステップ５７に進む。オーバーフローフラグがＯＮしていないと判別された場合には、ステップ５２でＪＣ返却フラグがＯＮしているか否かが判別される。ＪＣ返却フラグがＯＮしていると判別された場合、即ち、ＪＣ返却制御処理のステップ２８でＪＣ返却フラグがＯＮしているときは、ステップ５６で回収シャッター６０を開放した後、ステップ５７に進む。ＪＣ返却フラグがＯＮしていないと判別された場合には、ステップ５３で基本フラグがＯＮしているか否かが判別される。基本フラグがＯＮしていると判別された場合、即ち、基本制御処理のステップ１１で基本フラグがＯＮしているときは、ステップ５６で回収シャッター６０を開放した後、ステップ５７に進む。基本フラグがＯＮしていないと判別された場合には、ステップ５４でブロック間玉量制御基板７５から開放指示信号があるか否かが判別される。ブロック間玉量制御基板７５からの開放指示信号とは、後述するように、島台ブロックＡのベースタンク２４と島台ブロックＢのベースタンク２４とでパチンコ玉貯留量に差がある場合、両ベースタンク２４の貯留玉量が均等になるように回収シャッター６０あるいはブロック間シャッター７６を開放させるためブロック間玉量制御基板７５から各子島制御基板７４に出力される信号である。
【００８７】
ブロック間玉量制御基板７５から開放指示信号があると判別された場合には、ステップ５６で回収シャッター６０を開放した後、ステップ５７に進む。ブロック間玉量制御基板７５から開放指示信号がないと判別された場合には、ステップ５５で回収シャッター閉塞信号が出力されて回収シャッター６０を閉塞した後、ステップ５７に進む。
【００８８】
ステップ５７では、オーバーフローフラグがＯＮしているか否かが判別される。オーバーフローフラグがＯＮしていると判別された場合、即ち、オーバーフロー制御処理のステップ４２でオーバーフローフラグがＯＮしているときは、ステップ６０で上手島へ回収シャッター６０の閉塞指示信号を出力した後、処理を終了する。オーバーフローフラグがＯＮしていないと判別された場合には、ステップ５８でＪＣ返却フラグがＯＮしているか否かが判別される。ＪＣ返却フラグがＯＮしていると判別された場合、即ち、ＪＣ返却制御処理のステップ２８でＪＣ返却フラグがＯＮしているときは、ステップ６０で上手島へ回収シャッター６０の閉塞指示信号を出力した後、処理を終了する。ＪＣ返却フラグがＯＮしていないと判別された場合には、ステップ５９で上手島への回収シャッター６０の閉塞指示信号の出力を停止した後、処理を終了する。
【００８９】
上記した制御を、実際の子島で発生する場合に沿って説明する。
【００９０】
まず、玉計数装置２が設置された子島として子島Ａ３を代表に説明する。子島Ａ３のパチンコ玉貯留量が上限センサ７２未満の場合、即ち、上限玉無信号を受信している場合には、回収シャッター６０は閉塞した状態になっており、子島Ａ２に玉を供給することはない。この上限センサ７２未満の状態が自島のパチンコ玉貯留量が過剰でない正常な状態である。
【００９１】
やがて、パチンコ機３からのアウト玉等でパチンコ玉貯留量が増加し、上限センサ７２以上になった場合、即ち、上限玉有信号を受信した場合には、回収シャッター６０が開放した状態になり、子島Ａ２に玉を供給して子島Ａ３のパチンコ玉貯留量が減少するようになっている。そして、減少し続ける子島Ａ３のパチンコ玉貯留量が下限センサ７１未満になった場合、即ち、下限玉無信号を受信した場合には、回収シャッター６０が閉塞した状態となり、子島Ａ２への玉供給が停止されて子島Ａ３のパチンコ玉貯留量がこれ以上減少しないようになっている。
【００９２】
このように、子島Ａ３のパチンコ玉貯留量は、上限センサ７２と下限センサ７１の信号に基づいて回収シャッター６０を制御することで上限センサ７２未満の正常な状態に維持されるようになっている。尚、上限センサ７２のみで回収シャッター６０の開放と閉塞を制御するようにしても良いが、この場合、回収シャッター６０の動作が頻繁に行われてしまい、回収シャッター６０の寿命が短くなるという欠点が生じる。本実施例では、一旦上限センサ７２以上になったら、下限センサ７１未満になるまでパチンコ玉貯留量を連続して減少させるため、このような欠点はない。
【００９３】
次に、玉計数装置２に玉が返却された場合、即ち、ＪＣ返却玉有信号を受信した場合には、回収シャッター６０が開放した状態となり、子島Ａ２に玉を供給して子島Ａ３のパチンコ玉貯留量が急激に増加しないようになっている。この制御は、単位時間あたりで子島Ａ２に供給する玉量よりも玉計数装置２から流入される玉量の方が多くなる高性能な玉計数装置２が設置された場合に対応するものである。詳述すると、このような高性能な玉計数装置２に玉が返却された場合、子島Ａ３のパチンコ玉貯留量が急激に増加していくことが明らかであるため、子島Ａ３ではパチンコ玉貯留量に関係なく、返却されたとほぼ同時に子島Ａ２への供給が開始される。これにより、子島Ａ３における単位時間あたりに増加する玉量を少なくすることができ、子島Ａ３のパチンコ玉貯留量が急激に増加しないようになっている。
【００９４】
尚、単位時間あたりで子島Ａ２に供給する玉量よりも玉計数装置２から流入される玉量の方が少ない玉計数装置２が設置された場合には、この制御が無くても良い。なぜなら、パチンコ玉貯留量が増加して上限センサ７１以上になってから子島Ａ２に玉を供給すれば対応することが可能だからである。
【００９５】
次に、高性能な玉計数装置２に多量の玉が返却された場合、まず、前述した回収シャッター６０を開放する制御が行われるが、子島Ａ３のパチンコ玉貯留量は少しずつ増加する。やがて、パチンコ玉貯留量が上限センサ７１位置を超えることがあるが、予め確保しておいた貯留空間に玉が貯まるようになっている。このため、多量の玉が返却された場合であっても予め確保しておいた貯留空間に玉を貯留することで対応することが可能となっている。
【００９６】
また、少ないケースではあるが、パチンコ玉貯留量がさらに増加した場合、即ち、ＪＣセンサ６６からＪＣ玉有信号を受信した場合には、玉計数装置２を閉鎖して子島Ａ３のパチンコ玉貯留量がこれ以上増加しないようになっている。尚、玉計数装置２を閉鎖するタイミングは、本実施例では、ＪＣ玉有信号で即座に閉鎖しているが、返却している遊技者の返却が終了してから閉鎖するようにしても良い。
【００９７】
ここまでの制御は、子島Ａ３の回収シャッター６０と玉計数装置２の制御に関するものである。
【００９８】
次に、上手島である子島Ａ４に子島Ａ３から送信される閉塞指示信号について説明する。閉塞指示信号は、ＪＣ返却玉有信号及びＪＣ玉有信号を受信した場合に子島Ａ４に送信されるようになっており、子島Ａ４がこの信号を受信すると、回収シャッター６０を閉塞して子島Ａ４から子島Ａ３に玉が供給されないようになっている。子島Ａ３がＪＣ返却玉有信号を受信している場合、即ち、玉計数装置２に玉が返却されている場合は、返却玉の量が分からないため、予め子島Ａ４からの玉供給を停止して多量の玉返却に備えるためである。また、子島Ａ３がＪＣ玉有信号を受信している場合、即ち、子島Ａ３のパチンコ玉貯留量が過剰になっている場合は、これ以上玉を貯留することが困難な状態であるため、子島Ａ４からの玉供給を停止するためである。
【００９９】
このように、子島Ａ３では、パチンコ玉貯留量の増加が予想される場合、及びパチンコ玉貯留量が過剰の場合に閉塞指示信号を送信して子島Ａ４からの玉供給を停止させ、子島Ａ３のパチンコ玉貯留量が飽和状態になるのを防止するようになっている。尚、子島Ａ４には玉計数装置２が設置されておらずパチンコ機３からの排出玉のみでしかパチンコ玉貯留量が増加しないため、急激にパチンコ玉貯留量が増加することはなく、玉供給が停止されても何ら支障は無い。
【０１００】
次に、玉計数装置２が設置されていない子島として子島Ａ２を代表に説明する。尚、説明は上述した子島Ａ３と異なるところのみ説明する。
【０１０１】
子島Ａ２は、玉計数装置２が設置しておらず、パチンコ機３からの排出玉のみでしかパチンコ玉貯留量が増加しないため、急激にパチンコ玉貯留量が増加することはない。このため、基本的には上限センサ７２と下限センサ７１の信号に基づいて回収シャッター６０を制御することのみでパチンコ玉貯留量が過剰でない正常な状態を維持することができる。このように、子島Ａ２のパチンコ玉貯留量が増加してＪＣセンサ６６がＯＮすることが殆ど無いため、子島Ａ３に閉塞指示信号が送信されることは無い。よって、基本的には、子島Ａ３から子島Ａ２への玉供給が停止されることな無く、子島Ａ３が飽和状態にならないようになっている。
【０１０２】
次に、図１６に示すブロック間シャッター制御処理のサブルーチンにおいて、ステップ７０でブロック間シャッター７６があるか否かが判別される。このブロック間シャッター７６は、子島Ａ４及び子島Ｂ３にのみ設置されるものである。ブロック間シャッター７６があるか否かは、子島制御基板７４の島設定ＳＷ１００で設定されるものであり、子島Ａ４及び子島Ｂ３の子島制御基板７４では、ブロック間シャッター７６が設置されている旨の設定がなされ、その他の子島Ａ２，Ａ３，Ｂ２の子島制御基板７４では、ブロック間シャッター７６が設置されていない旨の設定がなされている。
【０１０３】
ステップ７０でブロック間シャッター７６がないと判別された場合、即ち、子島Ａ２，Ａ３，Ｂ２であるときは、そのまま処理を終了する。ブロック間シャッター７６があると判別された場合、即ち、子島Ａ４，Ｂ３であるときは、ステップ７１で他ブロック最上手島（子島Ａ４が島台ブロックＢの他ブロック最上手島であり、子島Ｂ３が島台ブロックＡの他ブロック最上手島である）からブロック間シャッター７６の閉塞指示信号があるか否かが判別される。なお、この他ブロック最上手島からブロック間シャッター７６の閉塞指示信号は、回収シャッター制御処理のステップ６０で出力される閉塞指示信号である。
【０１０４】
ステップ７１で閉塞指示信号があると判別された場合には、ステップ７４でブロック間シャッター７６を閉塞した後、処理を終了する。閉塞指示信号がないと判別された場合には、ステップ７２でブロック間玉量制御基板７５からブロック間シャッター７６の開放指示信号があるか否かが判別される。開放指示信号がないと判別された場合には、ステップ７４でブロック間シャッター閉塞信号（図２において、各子島制御基板７４からブロック間シャッター７６に向かって１点鎖線で示す矢印）が出力されてブロック間シャッター７６を閉塞した後、処理を終了する。開放指示信号があると判別された場合には、ステップ７３でブロック間シャッター開放信号（図２において、各子島制御基板７４からブロック間シャッター７６に向かって１点鎖線で示す矢印）が出力されてブロック間シャッター７６を開放した後、処理を終了する。
【０１０５】
上記のように、他ブロック最上手島からブロック間シャッター７６の閉塞指示信号が出力されておらず、ブロック間玉量制御基板７５からブロック間シャッター７６の開放指示信号が出力されている場合に自島のブロック間シャッター７６が開放される。その優先順位は、他ブロック最上手島からの閉塞指示信号，ブロック間玉量制御基板７５からの開放指示信号の順である。即ち、ステップ７２での開放指示信号が出力されていても、ステップ７１で閉塞指示信号が出力されていれば、ブロック間シャッター７６が閉塞する。
【０１０６】
次に、図１７に示す玉揚送装置緊急停止制御処理のサブルーチンにおいて、ステップ８０で緊急停止センサ６７がＯＮしているか否かが判別される。緊急停止センサ６７がＯＮしていないと判別された場合、即ち、緊急停止玉無信号が出力されているときは、そのまま処理を終了する。緊急停止センサ６７がＯＮしていると判別された場合、即ち、子島貯留タンク５１のパチンコ玉貯留量が何らかの原因で異常に増加して流出箱５４のオーバーフローダクト通路８０にまで達し、緊急停止玉有信号が出力されているときは、ステップ８１で玉揚送装置１を停止した後、処理を終了する。
【０１０７】
上記した制御は、子島が飽和した状態になった場合、即ち、緊急停止玉有信号を受信した場合に、玉揚送装置１を緊急停止させて玉揚送装置１が故障することを防止するようになっている。尚、この制御は、玉の溜まり方が異常等の何らかの異常がない限り殆ど実行されることはない。
【０１０８】
次に、図１８に示すブロック間玉量制御基板７５で行なわれるブロック間玉量制御のルーチンにおいて、ステップ９０で島台ブロックＡ（図中、Ａブロックと記載）のベースタンク（図中、ＢＴと記載）２４と島台ブロックＢ（図中、Ｂブロックと記載）のベースタンク２４との貯留玉量レベルの比較が行なわれる。両ベースタンク２４の貯留玉量レベルが同程度である場合には、ステップ９１で各子島制御基板７４への回収シャッター６０及びブロック間シャッター７６への開放指示信号の出力が停止されて再びステップ９０が実行される。島台ブロックＡのベースタンク２４の貯留玉量レベルが、島台ブロックＢのベースタンク２４の貯留玉量レベルよりも多いと判別された場合には、ステップ９２で島台ブロックＡから島台ブロックＢにパチンコ玉を供給するブロック間シャッター７６、即ち、子島Ａ４のブロック間シャッター７６及び島台ブロックＢのすべての回収シャッター６０の開放を指示する開放指示信号が子島制御基板７４に出力されて再びステップ９０が実行される。このように、子島Ａ４のブロック間シャッター７６及び島台ブロックＢのすべての回収シャッター６０が開放することにより、子島Ａ４から子島Ｂ３へ、子島Ｂ３から子島Ｂ２へ、子島Ｂ２から親島Ｂ１へ、それぞれブロック間供給樋７７又は回収樋２３を介してパチンコ玉が送られる。尚、子島Ａ４のパチンコ玉貯留量が減少するが、子島Ａ４へは子島Ａ３から、子島Ａ３へは子島Ａ２から、子島Ａ２へは親島Ａ１からそれぞれ供給樋２２を介して常に玉が供給されているため、玉が不足することはない。また、これにより、親島Ａ１のベースタンク２４のパチンコ玉貯留量が減少するため、やがて、両ベースタンク２４の貯留玉量レベルが同レベルとなる。
【０１０９】
また、島台ブロックＢのベースタンク２４の貯留玉量レベルが、島台ブロックＡのベースタンク２４の貯留玉量レベルよりも多いと判別された場合には、島台ブロックＢから島台ブロックＡにパチンコ玉を供給するブロック間シャッター７６、即ち、子島Ｂのブロック間シャッター７６及び島台ブロックＡのすべての回収シャッター６０の開放を指示する開放指示信号が子島制御基板７４に出力されて再びステップ９０が実行される。このように、子島Ｂのブロック間シャッター７６及び島台ブロックＡのすべての回収シャッター６０が開放することにより、子島Ｂ３から子島Ａ４へ、子島Ａ４から子島Ａ３へ、子島Ａ３から子島Ａ２へ、子島Ａ２から親島Ａ１へ、それぞれブロック間供給樋７８又は回収樋２３を介してパチンコ玉が送られる。尚、子島Ｂ３のパチンコ玉貯留量が減少するが、子島Ｂ３へは子島Ｂ２から、子島Ｂ２へは親島Ｂ１からそれぞれ供給樋２２を介して常に玉が供給されているため、玉が不足することはない。また、これにより、親島Ｂ１のベースタンク２４のパチンコ玉貯留量が減少するため、やがて、両ベースタンク２４の貯留玉量レベルが同レベルとなる。
【０１１０】
以上、各基板で行われる制御について説明してきたが、次に、図２を参照して全体的な玉の流れについて説明する。
【０１１１】
まず、玉の供給について島台ブロックＡでは、親島Ａ１から子島Ａ２へ、子島Ａ２から子島Ａ３へ、子島Ａ３から子島Ａ４へ、それぞれ供給樋２２を介して常時玉が供給され、島台ブロックＢでは、親島Ｂ１から子島Ｂ２へ、子島Ｂ２から子島Ｂ３へ、それぞれ供給樋２２を介して常時玉が供給されるようになっている。このため、基本的に子島Ａ２等で玉不足になることはなく、最低でもサクション樋６４の排出口８９付近までのパチンコ玉貯留量は確保されている。
【０１１２】
次に、玉の回収について具体例を挙げて説明する。子島Ａ４のパチンコ玉貯留量が所定玉量に達した場合、子島Ａ４の回収シャッター６０が開放されて子島Ａ３に玉が供給される。やがて、子島Ａ４のパチンコ玉貯留量が減少して下限所定玉量未満になると、子島Ａ４の回収シャッター６０が閉塞される。このため、子島Ａ４のパチンコ玉貯留量は貯留空間が確保された所定玉量未満の正常な状態に維持されるようになっている。
【０１１３】
また、子島Ａ４から供給された玉で子島Ａ３が所定玉量に達した場合にも、同様な制御が行われて子島Ａ２へ玉が供給され、子島Ａ３から供給された玉で子島Ａ２が所定玉量に達した場合にも、同様な制御が行われて親島Ａ１へ玉が供給されて正常な状態に維持されるようになっている。
【０１１４】
このように、各子島Ａ２〜Ａ４のパチンコ玉貯留量に基づく制御により、最終的には親島Ａ１に過剰の玉が回収されるようになっている。
【０１１５】
次に、子島Ａ３のパチンコ玉貯留量がＪＣセンサ６６まで達した場合、自島の玉計数装置２の閉鎖及び子島Ａ４の回収シャッター６０の閉塞を指示するようになっている。これは、子島Ａ３のパチンコ玉貯留量がこれ以上増加しないようにするためである。尚、パチンコ玉貯留量が所定玉量に達した時点で、既に自島の回収シャッター６０は開放されているため、子島Ａ３のパチンコ玉貯留量は、下限所定玉量未満になるまで減少するようになっている。尚、玉計数装置２が設置されていない子島Ａ２，Ａ４においては、急激に玉量が増加しないため、パチンコ玉貯留量がＪＣセンサ６６まで達することは殆ど無く、実質、子島Ａ２及び子島Ａ４からの上手島への閉塞指示信号は殆ど出力されることは無い。
【０１１６】
次に子島Ａ３の玉計数装置２に玉が返却された場合、子島Ａ４の回収シャッター６０の閉塞を指示するようになっている。これは、玉計数装置２に多量の玉が返却される可能性があるため、予め子島Ａ４からの供給があればこれを停止し、自島のパチンコ玉貯留量が急激に増加しないようにするためである。
【０１１７】
また、これと同時に自島の回収シャッター６０を開放して子島Ａ２に玉を供給するようになっている。これは、単位時間あたりのパチンコ玉貯留量の増加を少なくするためであり、具体的には、単位時間あたりに増加するパチンコ玉貯留量は、「玉計数装置２からの返却玉−子島Ａ２への供給玉」の式で求められる玉量である。これにより、少量しか貯留できない子島貯留タンク５１であっても対応可能になっている。
【０１１８】
次に、親島Ａ１のベースタンク２４の貯留玉量レベルが４レベルで、親島Ｂ１のベースタンク２４の貯留玉量レベルが３レベルの場合、子島Ａ４のブロック間シャッター７８及び子島Ｂ２，Ｂ３の回収シャッター６０が開放されるようになっている。これにより、実質、親島Ａ１のベースタンク２４の玉が全ての子島Ａ２等を介して親島Ｂ１のベースタンク２４に送られることになり、やがて、両ベースタンク２４の貯留玉量レベルが同レベルになる。
【０１１９】
本実施形態では、図２に示す左側から親島Ａ１，子島Ａ２，子島Ａ３，子島Ａ４，子島Ｂ３，子島Ｂ２，親島Ｂ１の順に設置された島交流形態について説明してきたが、他の順に設置される島交流形態であっても良い。例えば、親島Ａ１，子島Ａ２，子島Ａ３，子島Ａ４，親島Ｂ１，子島Ｂ２，子島Ｂ３ の順であっても良い。この場合、基本的な部分は本実施形態と同様であるが、子島Ａ４と親島Ｂ１との間にブロック間供給樋７７，７８が設置され、制御については、子島Ｂ２及び子島Ｂ３へのブロック間玉量制御基板７５からの開放指示信号が不要となり、親島Ｂ１へのブロック間玉量玉量制御基板７５からの開放指示信号が必要となる。また、子島Ａ４，子島Ａ３，子島Ａ２，親島Ａ１，親島Ｂ１，子島Ｂ２，子島Ｂ３ の順であっても良い。この場合、親島Ａ１と親島Ｂ１との間にブロック間供給樋７７，７８が設置され、制御については、全ての子島Ａ２等へのブロック間玉量制御基板７５からの開放指示信号が不要となり、親島Ａ１，親島Ａ２へのブロック間玉量制御基板７５からの開放指示信号が必要となる。
【０１２０】
また、本実施形態では、供給経路としての供給樋２２と回収樋２３を示したが、自島と他島との間で玉のやりとりができるものであれば、傾斜する樋でなくても良い。例えば、駆動装置を設けた水平搬送装置のようなものでも良い。この場合には、駆動装置の駆動と停止により、玉の流れを作ること、玉の流れを止めることができるため、回収シャッター６０及びブロック間シャッター７６が不要となる。
【０１２１】
また、本実施形態では、上部タンク間に供給経路としての供給樋２２と補給樋２３を設けるものを示したが、供給経路は上部タンクに設けなくても隣接するパチンコ島台との間で玉のやりとりが可能であればどこでも良い。例えば、補給樋２３にあるパチンコ玉を隣接するパチンコ島台に供給するようなものでも良いし、地下に経路を設け、隣接するパチンコ島台に供給するようなものでも良い。
【０１２２】
また、ベースタンク２４の貯留玉量を０〜５レベルの６段階のものを示したが、何段階でも良く、また、実際の玉数を検知するようなものでも良い。
【０１２３】
また、下限センサ７１及び上限センサ７２を子島貯留タンク５１に、ＪＣセンサ６６をオーバーフローダクト６１に、緊急停止センサ６７を流出箱５４に設けたものを示したが、パチンコ島台内で貯留される玉を下限センサ７１，上限センサ７２，ＪＣセンサ６６，緊急停止センサ６７の順番で検知できれば他の位置に設けても良い。例えば、下限センサ７１，上限センサ７２，ＪＣセンサ６６を子島貯留タンク５１に、緊急停止センサ６７を子島上部タンク５０に設けても良く、また、図５に示す上限センサ７２の位置を下限センサ７１により近い位置に設けても良い。このようにすれば、新たに空間を設けなくても、貯留空間が拡がり、本実施形態の貯留空間よりも多量の玉が貯留可能な貯留空間を確保することができる。
【０１２４】
また、本実施形態では、玉計数装置２に玉が返却されたことを検知するため、ＪＣ返却センサ７３をアウト玉回収樋５３に設けたものを示したが、玉計数装置２自身に玉を計数しているときに信号を出力する機能が付いているものであればその信号を利用すれば良い。この場合、ＪＣ返却センサ７３は設けなくても良い。
【０１２５】
また、図１３のステップ２４でセットされるタイマ時間は、設定ＳＷ１００等で任意の時間が設定できるようにしても良い。このタイマ時間は、玉計数装置２の性能，玉揚送装置１の性能，パチンコ島台の長さ等から算出されるためである。
【０１２６】
以上、パチンコ玉移動制御システムの詳細な構成について説明してきたが、本実施形態においては、複数のパチンコ機３が設置されると共に、該パチンコ機３の上方に設けられ且つ前記パチンコ機３へ補給樋１２，５２を介してパチンコ玉を補給する上部タンク１０，５０と、前記パチンコ機３から排出されたパチンコ玉を回収する回収経路としてのアウト玉回収樋１３，５３と、該回収経路としてのアウト玉回収樋１３，５３で回収されたパチンコ玉を前記上部タンク１０，５０へ揚送する玉揚送装置１と、隣接するパチンコ島台Ａ１〜Ａ４，Ｂ１〜Ｂ３にパチンコ玉を供給する供給経路としての供給樋２２，回収樋２３と、をそれぞれ備えた複数のパチンコ島台Ａ１〜Ａ４，Ｂ１〜Ｂ３により構成される島台ブロックＡ，Ｂ内でのパチンコ玉の移動を制御するパチンコ玉移動制御システムにおいて、前記複数のパチンコ島台Ａ１〜Ａ４，Ｂ１〜Ｂ３のうちの１つをそれぞれ親島Ａ１，Ｂ１とし、その親島Ａ１，Ｂ１には、前記島台ブロックＡ，Ｂ内で使用される多量のパチンコ玉を貯留するベースタンク２４が備えられ、前記親島Ａ１，Ｂ１を除く残りのパチンコ島台を子島Ａ２〜Ａ４，Ｂ２，Ｂ３とし、その子島Ａ２〜Ａ４，Ｂ２，Ｂ３には、自島で使用される少量のパチンコ玉を貯留する子島貯留タンク５１と、前記親島Ａ１，Ｂ１側に隣接するパチンコ島台に向かってパチンコ玉を供給する前記供給経路としての回収樋２３のパチンコ玉の流れを作る第１状態とパチンコ玉の流れを止める第２状態とに変化可能なパチンコ玉流動変更手段としての回収シャッター６０と、自島内の貯留玉量が自島内で所定の貯留空間を確保した状態での所定玉量であることを検知して所定玉量検知信号を出力する所定玉量検知出力手段としての上限センサ７２と、が備えられ、前記所定玉量検知信号に基づいて、前記パチンコ玉流動変更手段としての回収シャッター６０を前記第１状態に変化させるパチンコ玉流動指示手段を備えたことにより、子島Ａ２〜Ａ４，Ｂ２，Ｂ３では、自島内の貯留玉量が所定玉量を超えた場合には、所定玉量検知信号に基づいてパチンコ玉流動変更手段としての回収シャッター６０がパチンコ玉の流れをつくるように変化し、自島内のパチンコ玉が供給経路としての回収樋２３を介して親島Ａ１，Ｂ１側に隣接するパチンコ島台に供給されるため、子島Ａ２〜Ａ４，Ｂ２，Ｂ３の貯留玉量を所定玉量未満にすることができる。
【０１２７】
例えば、上記した親島Ａ１，Ｂ１側に隣接するパチンコ島台が子島Ａ２〜Ａ４，Ｂ２，Ｂ３の場合、この子島Ａ２〜Ａ４，Ｂ２，Ｂ３が親島Ａ１，Ｂ１側でない子島Ａ２〜Ａ４，Ｂ２，Ｂ３から供給されたパチンコ玉により、自島内の貯留玉量が所定玉量を超えると、上記した子島Ａ２〜Ａ４，Ｂ２，Ｂ３と同様に親島Ａ１，Ｂ１側に隣接するパチンコ島台にパチンコ玉が供給されてこの子島Ａ２〜Ａ４，Ｂ２，Ｂ３の貯留玉量も所定玉量未満となる。
【０１２８】
このように、全ての子島Ａ２〜Ａ４，Ｂ２，Ｂ３では、自島内の貯留玉量を所定玉量未満にすることができ、子島Ａ２〜Ａ４，Ｂ２，Ｂ３内に貯留していた過剰のパチンコ玉は、親島Ａ１，Ｂ１側に隣接するパチンコ島台に供給することにより、最終的に多量のパチンコ玉を貯留可能な親島Ａ１，Ｂ１のベースタンク２４に回収することができる。
【０１２９】
また、さらに、子島Ａ２〜Ａ４，Ｂ２，Ｂ３は、所定玉量検知信号が出力される所定玉量が所定の貯留空間を確保した状態で設定されているため、子島Ａ２〜Ａ４，Ｂ２，Ｂ３に玉計数装置２が設置される等で自島内に流入する玉量が親島Ａ１，Ｂ１側に隣接するパチンコ島台に供給する玉量よりも一時的に多くなる場合であっても、確保しておいた所定の貯留空間に一時的に貯留することができ、新たに貯留タンクを設置しなくてもこのような状況に対応することができる。
【０１３０】
よって、子島Ａ２〜Ａ４，Ｂ２，Ｂ３の貯留玉量を所定玉量未満になるように制御することと、所定の貯留空間を確保しておくことにより、玉計数装置２の設置等で自島内に突発的に多量のパチンコ玉が流入するとしても、新たに貯留タンクを設けることなくこのような状況に対応することができ、パチンコ島台の製造コストが低減され、内部空間が確保されたパチンコ島台を提供することができる。
【０１３１】
また、本実施形態においては、前記子島Ａ２〜Ａ４，Ｂ２，Ｂ３には、自島内の貯留玉量が所定玉量より少ない下限所定玉量に満たないことを検知して下限所定玉量検知信号を出力する下限所定玉量検知出力手段としての下限センサ７１が備えられ、前記下限所定玉量検知信号に基づいて、前記パチンコ玉流動変更手段としての回収シャッター６０を前記第２状態に変化させるパチンコ玉流動変更指示手段を備えたことにより、子島Ａ２〜Ａ４，Ｂ２，Ｂ３では、自島内の貯留玉量が下限所定玉量に満たなくなった場合、下限所定玉量検知信号に基づいてパチンコ玉流動変更手段としての回収シャッター６０がパチンコ玉の流れを止めるように変化し、親島Ａ１，Ｂ１側に隣接するパチンコ島台へのパチンコ玉の供給が停止されるようになっている。
【０１３２】
このように、自島内の貯留玉量が所定玉量になると、所定玉量より少ない下限所定玉量に満たなくなるまで連続して減少させるようにしたため、パチンコ玉流動変更手段としての回収シャッター６０の作動回数を少なくすることができる。よって、パチンコ玉流動変更手段としての回収シャッター６０の故障が少なくなり、また、延命を図ることができる。
【０１３３】
また、本実施形態においては、前記子島Ａ２〜Ａ４，Ｂ２，Ｂ３のうち少なくとも１台に遊技客が返却するパチンコ玉を計数して前記回収経路としてのアウト玉回収樋１３，５３へ排出する玉計数装置２と、該玉計数装置２に流入したパチンコ玉を検知して返却玉検知信号を出力する返却玉検知出力手段としてのＪＣ返却玉センサ７３と、が備えられ、前記返却玉検知信号に基づいて、前記パチンコ玉流動変更手段としての回収シャッター６０を前記第１状態に変化させる返却玉流動指示手段を備えたことにより、玉計数装置２が備えられた子島では、玉計数装置２に玉が返却された場合、返却玉検知信号に基づいてパチンコ玉流動変更手段としての回収シャッター６０がパチンコ玉の流れを作る第１状態に変化し、自島内のパチンコ玉が供給経路を介して親島Ａ１，Ｂ１側に隣接するパチンコ島台に供給されるようになっている。
【０１３４】
このため、子島で増加する単位時間あたりの玉量は、玉計数装置２に返却された玉量から隣接するパチンコ島台に供給した玉量を差し引いた玉量しか増加しない。つまり、返却された玉量がそのまま自島の貯留玉量として増加しないようになっている。よって、玉計数装置２が備えられた子島の貯留玉量が急激に増加することを防止して子島の貯留玉量が飽和するような事態を発生しにくくすることができる。
【０１３５】
更に、本実施形態においては、前記返却玉検知信号に基づいて、前記親島Ａ１，Ｂ１側の反対側に隣接するパチンコ島台の前記パチンコ玉流動変更手段としての回収シャッター６０を前記第２状態に変化させる隣島パチンコ玉流動変更指示手段を備えたことを特徴とする。このように構成することにより、玉計数装置２が備えられた子島では、玉計数装置２に多量の返却玉が返却されたような状況に予め備えるため、玉計数装置２に玉が返却された場合、返却玉検知信号に基づいて親島Ａ１，Ｂ１側の反対側に隣接するパチンコ島台のパチンコ玉流動変更手段をパチンコ玉の流れを止める第２状態に変化させ、自島へパチンコ玉が供給されないようになっている。
【０１３６】
このため、自島へ供給されなくなった玉量の分だけ、玉計数装置２が備えられた子島で増加する玉量をさらに抑えることができる。よって、玉計数装置２が備えられた子島の貯留玉量が急激に増加することをさらに確実に防止して、子島の貯留玉量が飽和するような事態をより一層発生しにくくすることができる。
【０１３７】
【発明の効果】
以上、説明したところから明らかなように、請求項１に記載の発明においては、子島では、自島内の貯留玉量が所定玉量を超えた場合には、所定玉量検知信号に基づいてパチンコ玉流動変更手段がパチンコ玉の流れをつくるように変化し、自島内のパチンコ玉が供給経路を介して親島側に隣接するパチンコ島台に供給されるため、子島の貯留玉量を所定玉量未満にすることができる。
【０１３８】
例えば、上記した親島側に隣接するパチンコ島台が子島の場合、この子島が親島側でない子島から供給されたパチンコ玉により、自島内の貯留玉量が所定玉量を超えると、上記した子島と同様に親島側に隣接するパチンコ島台にパチンコ玉が供給されてこの子島の貯留玉量も所定玉量未満となる。
【０１３９】
このように、全ての子島では、自島内の貯留玉量を所定玉量未満にすることができ、子島内に貯留していた過剰のパチンコ玉は、親島側に隣接するパチンコ島台に供給されることにより、最終的に多量のパチンコ玉を貯留可能な親島のベースタンクに回収することができる。
【０１４０】
また、さらに、子島は、所定玉量検知信号が出力される所定玉量が所定の貯留空間を確保した状態で設定されているため、子島に玉計数装置が設置される等で自島内に流入する玉量が親島側に隣接するパチンコ島台に供給する玉量よりも一時的に多くなる場合であっても、確保しておいた所定の貯留空間に一時的に貯留することができ、新たに貯留タンクを設置しなくてもこのような状況に対応することができる。
【０１４１】
よって、子島の貯留玉量を所定玉量未満になるように制御することと、所定の貯留空間を確保しておくことにより、玉計数装置の設置等で自島内に突発的に多量のパチンコ玉が流入したとしても、新たに貯留タンクを設けることなくこのような状況に対応することができ、パチンコ島台の製造コストが低減されたパチンコ島台を提供することができる。
【０１４２】
また、子島では、自島内の貯留玉量が下限所定玉量に満たなくなった場合、下限所定玉量検知信号に基づいてパチンコ玉流動変更手段がパチンコ玉の流れを止めるように変化し、親島側に隣接するパチンコ島台へのパチンコ玉の供給が停止されるようになっている。
【０１４３】
このように、自島内の貯留玉量が所定玉量になると、所定玉量より少ない下限所定玉量に満たなくなるまで連続して減少させるようにしたため、パチンコ玉流動変更手段の作動回数を少なくすることができる。よって、パチンコ玉流動変更手段の故障が少なくなり、また、延命を図ることができる。
【０１４４】
また、請求項２に記載の発明においては、玉計数装置が備えられた子島では、玉計数装置に玉が返却された場合、返却玉検知信号に基づいてパチンコ玉流動変更手段がパチンコ玉の流れを作る第１状態に変化し、自島内のパチンコ玉が供給経路を介して親島側に隣接するパチンコ島台に供給されるようになっている。
【０１４５】
このため、子島で増加する単位時間あたりの玉量は、玉計数装置に返却された玉量から隣接するパチンコ島台に供給した玉量を差し引いた玉量しか増加しない。つまり、返却された玉量がそのまま自島の貯留玉量として増加しないようになっている。よって、玉計数装置が備えられた子島の貯留玉量が急激に増加することを防止して子島の貯留玉量が飽和するような事態を発生しにくくすることができる。
【０１４６】
更に、請求項３の発明においては、玉計数装置が備えられた子島では、玉計数装置に多量の返却玉が返却されたような状況に予め備えるため、玉計数装置に玉が返却された場合、返却玉検知信号に基づいて親島側の反対側に隣接するパチンコ島台のパチンコ玉流動変更手段をパチンコ玉の流れを止める第２状態に変化させ、自島へパチンコ玉が供給されないようになっている。
【０１４７】
このため、自島へ供給されなくなった玉量の分だけ、玉計数装置が備えられた子島で増加する玉量をさらに抑えることができる。よって、玉計数装置が備えられた子島の貯留玉量が急激に増加することをさらに確実に防止して、子島の貯留玉量が飽和するような事態をより一層発生しにくくすることができる。
【図面の簡単な説明】
【図１】  パチンコ島台とそれに関連して設けられる供給樋及び回収樋との関係を示す全体概略図である。
【図２】  パチンコ島台における供給樋及び回収樋でのパチンコ玉の流れ及び制御信号の流れを示す全体概略図である。
【図３】  パチンコ島台（親島）の内部構造を示す正面図である。
【図４】  親島上部タンクの内部構造とパチンコ玉の流れを示す正面図である。
【図５】  パチンコ島台（子島）の内部構造を示す正面図である。
【図６】  子島上部タンクの内部構造とパチンコ玉の流れを示す正面図である。
【図７】  子島貯留タンクの内部構造とパチンコ玉の流れを示す正面図である。
【図８】  親島に設けられるベースタンクのパチンコ玉貯留量を出力する親島制御基板の制御系を示すブロック図である。
【図９】  パチンコ島台（子島）でのパチンコ玉の移動を制御する子島制御基板の制御系を示すブロック図である。
【図１０】  島台ブロックＡ及び島台ブロックＢとの間でのパチンコ玉の移動を制御するブロック間玉量制御基板の制御系を示すブロック図である。
【図１１】  子島制御基板において行なわれる制御処理のルーチンである。
【図１２】  基本制御処理を示すサブルーチンである。
【図１３】  ＪＣ返却制御処理を示すサブルーチンである。
【図１４】  オーバーフロー制御処理を示すサブルーチンである。
【図１５】  回収シャッター制御処理を示すサブルーチンである。
【図１６】  ブロック間シャッター制御処理を示すサブルーチンである。
【図１７】  玉揚送装置緊急停止制御処理を示すサブルーチンである。
【図１８】  ブロック間玉量制御基板で行なわれるブロック間玉量制御のルーチンである。
【符号の説明】
Ａ  島台ブロック
Ａ１  親島（パチンコ島台）
Ａ２〜Ａ４  子島（パチンコ島台）
Ｂ  島台ブロック
Ｂ１  親島（パチンコ島台）
Ｂ２〜Ｂ３  子島（パチンコ島台）
１  玉揚送装置
２  玉計数装置（ＪＣ）
３  パチンコ機
１０  親島上部タンク（上部タンク）
１３  アウト玉回収樋（回収経路）
２２  供給樋（供給経路）
２３  回収樋（供給経路）
２４  ベースタンク
５０  子島上部タンク（上部タンク）
５１  子島貯留タンク（貯留タンク）
５３  アウト玉回収樋（回収経路）
６０  回収シャッター（パチンコ玉流動変更手段）
７１  下限センサ（下限所定玉量検知出力手段）
７２  上限センサ（所定玉量検知出力手段）
７３  ＪＣ返却玉センサ（返却玉検知出力手段）
【図１】
0004352646.tif 000002
【図２】
0004352646.tif 000003
【図３】
0004352646.tif 000004
【図４】
0004352646.tif 000005
【図５】
0004352646.tif 000006
【図６】
0004352646.tif 000007
【図７】
0004352646.tif 000008
【図８】
0004352646.tif 000009
【図９】
0004352646.tif 000010
【図１０】
0004352646.tif 000011
【図１１】
0004352646.tif 000012
【図１２】
0004352646.tif 000013
【図１３】
0004352646.tif 000014
【図１４】
0004352646.tif 000015
【図１５】
0004352646.tif 000016
【図１６】
0004352646.tif 000017
【図１７】
0004352646.tif 000018
【図１８】
0004352646.tif 000019